(57)【特許請求の範囲】
【請求項１】
電子写真画像形成装置本体に着脱可能であって、電子写真感光体に形成された静電潜像を現像するための現像カートリッジにおいて、
（ｉ）前記静電潜像を現像するための現像ローラと、
前記現像ローラによって現像に用いられるトナーを受け入れるためのトナー受け入れ開口と、
前記現像ローラの周面に前記トナーを塗布するための塗布ローラと、
前記トナー受け入れ開口に沿って前記塗布ローラを取り付けるために、前記塗布ローラの軸を取り付けられた軸取り付け部と、
を有する現像フレームと、
（ii）カバーフレームと、
（iii）前記カバーフレームと結合されることにより前記トナーを収納するためのトナー収納部を構成するトナーフレームであって、
前記トナー収納部に収納されている前記トナーを前記現像ローラへ供給するために、前記トナー収納部から前記トナー受け入れ開口へ前記トナーを供給するためのトナー供給開口と、
前記現像フレームと結合され、前記トナー供給開口の短手方向一端側と他端側とに前記トナー供給開口の長手方向に沿って、前記トナー供給開口よりも前記現像ローラが設けられている側に設けられている第一結合面であって、前記短手方向一端側と他端側とに設けられている第一結合面を結んだ面が前記塗布ローラの長手方向を横切るように設けられている第一結合面と、
前記カバーフレームと結合され、前記トナー供給開口の前記短手方向一端側に前記トナー供給開口の長手方向に沿って、前記第一結合面と略直交するように設けられ、前記第一結合面よりも前記現像ローラが設けられている側とは反対側に設けられている第二結合面と、
を有するトナーフレームと、
を有することを特徴とする現像カートリッジ。
【請求項２】
更に、前記軸取り付け部は、前記トナー供給開口の短手方向一端側と他端側とに設けられている前記第一結合面を結んだ面よりも前記現像ローラが設けられている側に前記軸を取り付けるように設けられ、かつ、前記トナー受け入れ開口の長手方向一端側と他端側とに設けられていることを特徴とする請求項１に記載の現像カートリッジ。
【請求項３】
更に、前記トナー供給開口を封止するトナーシールと、前記トナーシールを押圧するために、前記トナー供給開口の長手方向の両端部には前記トナー供給開口の短手方向に沿って取り付けられた弾性部材と、を有し、前記弾性部材の取り付け面は前記第一結合面を結んだ平面よりも前記トナーフレームが位置する側へ向かって突出した突出面であることを特徴とする請求項１に記載の現像カートリッジ。
【発明の詳細な説明】
【０００１】
【発明の属する技術分野】
本発明は、現像カートリッジに関する。
【０００２】
ここで現像カートリッジとは電子写真感光体に形成された静電潜像をトナーを用いて現像するための現像部材及びトナーを収納するトナー収納部を一体のカートリッジとして、電子写真画像形成装置本体に取り外し可能に装着するものをいう。
【０００３】
また、ここで電子画像形成装置とは、電子写真画像形成方法を用いて、記録媒体に画像を形成するものをいう。そして、電子写真画像形成装置としては例えば電子写真複写機、電子写真プリンター（例えばＬＥＤプリンター、レーザービームプリンター等）、電子写真ファクシミリ装置、及び電子写真ワードプロセッサー等が含まれる。
【０００４】
【従来の技術】
従来、電子写真方式によって多色画像を形成する装置の構成としては、電子写真感光体である感光体ドラムに対し、色の異なる現像剤（トナー）を収納した複数の現像カートリッジを回転選択機構（現像ロータリー）上に配置する。そして、前記感光体ドラムに対して所定色の現像剤を収納した現像カートリッジを対向させて現像し、この現像像を記録媒体に転写する。更にこれらの現像転写動作を各色について行うことにより多色画像を得る方法が提案されている。このような画像形成装置においては、前記現像カートリッジを画像形成装置本体に対して着脱可能なカートリッジ構成とする。そして使用者自身によって現像カートリッジの交換を可能とする。これによって、装置本体のメンテナンス作業を軽減している。
【０００５】
そして、上記現像カートリッジを画像形成装置本体に装着する際に、画像形成装置本体に設ける装着開口面積を小さくする等の理由により、現像カートリッジを所定の位置から現像ローラの回転軸方向に挿入するようにしている。
【０００６】
また、上記構成において、現像カートリッジは感光体ドラムと対向する位置において駆動する必要がある。そのため、装置本体に駆動伝達ギアを固定配置し、現像カートリッジが感光体ドラムと対向する位置に移動した際に現像カートリッジ側の駆動力受け部材と連結して駆動伝達される。
【０００７】
このような現像カートリッジは、現像ローラ、塗布ローラ等の現像部材を支持する現像フレームと、トナーを収納したトナーフレームとを結合したカートリッジフレーム構成としたことによって、小型化が計られている。
【０００８】
また、前記現像カートリッジは、画像形成装置本体へ装着された際に、現像ローラの露出部を露出する、そして、画像形成装置本体から取り外されると現像ローラの露出部を覆うシャッターが設けられている。そして、このシャッターが閉まった状態では、シャッターとカートリッジフレーム間を密封する可能性の密封部材が設けられている。
【０００９】
このような現像カートリッッジには、収納されているトナーの残量を検出するトナー残量検出手段を備えている。
【００１０】
また、前記現像カートリッジが現像ロータリーへ装着されると、現像ローラへ加える現像バイアスの回路を構成するため、現像カートリッジ及び現像ロータリーに互いに接する接点が夫々設けられている。
【００１１】
このような現像カートリッジはトナーの色にかかわらず同一に作られており、現像ロータリーの所定の場所へ所定色の現像カートリッジを装着するため現像カートリッジにはトナー色を示す表示がなされている。
【００１２】
現像カートリッジはトナー収納部に収容されているトナーを現像カートリッジの使用に先立って現像部材の方へ供給するため、製造時には現像部材とトナー収納部とをトナーシールで仕切ってトナー収納部を密閉していて使用時には外部よりトナーシールを引いて開封するようにしている。
【００１３】
【発明が解決しようとする課題】
本発明は従来の技術を更に発展させたものである。
【００１４】
本発明の目的は、小型化された現像カートリッジを提供することにある。
【００１５】
本発明の他の目的は、効率的にトナーを収納することのできる現像カートリッジを提供することにある。
【００１６】
本発明の他の目的は、電子写真画像形成装置本体に着脱可能であって、電子写真感光体に形成された静電潜像を現像するための現像カートリッジにおいて、
（ｉ）前記静電潜像を現像するための現像ローラと、
前記現像ローラによって現像に用いられるトナーを受け入れるためのトナー受け入れ開口と、
前記現像ローラの周面に前記トナーを塗布するための塗布ローラと、
前記トナー受け入れ開口に沿って前記塗布ローラを取り付けるために、前記塗布ローラの軸を取り付けられた軸取り付け部と、
を有する現像フレームと、
（ii）カバーフレームと、
（iii）前記カバーフレームと結合されることにより前記トナーを収納するためのトナー収納部を構成するトナーフレームであって、
前記トナー収納部に収納されている前記トナーを前記現像ローラへ供給するために、前記トナー収納部から前記トナー受け入れ開口へ前記トナーを供給するためのトナー供給開口と、
前記現像フレームと結合され、前記トナー供給開口の短手方向一端側と他端側とに前記トナー供給開口の長手方向に沿って、前記トナー供給開口よりも前記現像ローラが設けられている側に設けられている第一結合面であって、前記短手方向一端側と他端側とに設けられている第一結合面を結んだ面が前記塗布ローラの長手方向を横切るように設けられている第一結合面と、
前記カバーフレームと結合され、前記トナー供給開口の前記短手方向一端側に前記トナー供給開口の長手方向に沿って、前記第一結合面と略直交するように設けられ、前記第一結合面よりも前記現像ローラが設けられている側とは反対側に設けられている第二結合面と、
を有するトナーフレームと、を有することを特徴とする現像カートリッジを提供することにある。
【００１７】
【課題を解決するための手段】
主要な本発明は請求項と対応する番号を付して示せば以下のとおりである。
【００１９】
本出願に係る第１の発明は、電子写真画像形成装置本体に着脱可能であって、電子写真感光体に形成された静電潜像を現像するための現像カートリッジにおいて、
（ｉ）前記静電潜像を現像するための現像ローラと、
前記現像ローラによって現像に用いられるトナーを受け入れるためのトナー受け入れ開口と、
前記現像ローラの周面に前記トナーを塗布するための塗布ローラと、
前記トナー受け入れ開口に沿って前記塗布ローラを取り付けるために、前記塗布ローラの軸を取り付けられた軸取り付け部と、
を有する現像フレームと、
（ii）カバーフレームと、
（iii）前記カバーフレームと結合されることにより前記トナーを収納するためのトナー収納部を構成するトナーフレームであって、
前記トナー収納部に収納されている前記トナーを前記現像ローラへ供給するために、前記トナー収納部から前記トナー受け入れ開口へ前記トナーを供給するためのトナー供給開口と、
前記現像フレームと結合され、前記トナー供給開口の短手方向一端側と他端側とに前記トナー供給開口の長手方向に沿って、前記トナー供給開口よりも前記現像ローラが設けられている側に設けられている第一結合面であって、前記短手方向一端側と他端側とに設けられている第一結合面を結んだ面が前記塗布ローラの長手方向を横切るように設けられている第一結合面と、
前記カバーフレームと結合され、前記トナー供給開口の前記短手方向一端側に前記トナー供給開口の長手方向に沿って、前記第一結合面と略直交するように設けられ、前記第一結合面よりも前記現像ローラが設けられている側とは反対側に設けられている第二結合面と、
を有するトナーフレームと、
を有することを特徴とする現像カートリッジである。
【００２０】
【発明の実施の形態】
次に本発明の実施の形態に係る現像カートリッジ及びこれを用いる電子写真画像形成装置（以下、画像形成装置という）について説明する。
【００２１】
以下の説明において長手方向とは記録媒体の搬送方向に略直角な方向で、且つ、記録媒体の表面に略平行な方向をいう。
【００２２】
〔実施の形態１〕
本発明の実施の形態１について、先ず図１乃至図１９を参照して説明する。尚、図１乃至図３は画像形成装置の構成説明図であり、図４及び図５は現像カートリッジの縦断面図、図６、図７は現像カートリッジの斜視説明図、図８乃至図１４は現像カートリッジの装着構成説明図である。ここで、図２、図３、図１５〜１９は仮想線として点線を用いてある。
【００２３】
尚、ここでは、先ず画像形成装置の全体構成について説明し、次に現像カートリッジの構成について説明する。
【００２４】
（画像形成装置）
先ず、本実施の形態に係る画像形成装置の概略構成を説明する。図１は電子写真方式によってカラー画像を形成する画像形成装置の一形態であるカラーレーザービームプリンタの側面図である。一定速度で回転するドラム形状の電子写真感光体（以下、感光体ドラムと称す）１の表面を帯電手段２で一様に帯電する。そして、前記感光体ドラム１に露光手段３から画像情報に応じたレーザー光を照射して潜像を形成し、その潜像を４個の現像カートリッジＤｍ，Ｄｃ，Ｄｙ，Ｄｂ（併せてＤと記す）で現像する。そして、感光体ドラム１に形成された現像画像は順次ベルト状の中間転写ユニット４に重ねて転写されてカラー画像が形成される。このカラー画像は、給送部から搬送手段５によって搬送される記録媒体Ｐに（例えば、記録紙、ＯＨＰシート等）を転写手段６によって転写される。そしてその記録媒体Ｐを定着手段７へ搬送してカラー画像を定着し、装置上面の排出部８へ排出する。
【００２５】
次に前記各部の構成について具体的に説明する。
【００２６】
先ず感光体ドラム１はプロセスカートリッジＵとして、現像剤（以下「トナー」という）の像を中間転写ユニット４に転写した後に感光体ドラム１に残留したトナーを除去するためのクリーニング手段９の容器状の枠体９ａと一体的に構成されている。このプロセスカートリッジＵは画像形成装置本体３０に対して取り外し可能に装着されており、使用者自身によって感光体ドラム１の寿命に合わせて交換することができる。
【００２７】
前記感光体ドラム１は直径約５０ｍｍのアルミニウムシリンダーの外側に有機光導電体層を塗布して構成し、感光体ドラム１のホルダーを兼ねるクリーニング手段９の容器状の枠体９ａに回転自在に支持されている。この感光体ドラム１の周上には、感光体ドラム１上に残留したトナーを掻き取り除去するためのクリーニングブレード９ｂ、更には帯電手段２が配設されている。したがって、本実施の形態においては、感光体ドラム１、クリーニング手段９、及び、帯電手段２が一体にカートリッジ化されて装置本体３０に着脱可能なプロセスカートリッジＵを構成している。
【００２８】
また、感光体ドラム１は駆動モータ２４Ｍ（図２１参照）の駆動力を伝達することにより、画像形成動作に応じて図１において反時計回り方向へ回転する。
【００２９】
本実施の形態に係る帯電手段２は、所謂接触帯電法を用いたものであり、感光体ドラム１の表面に接触して回転する帯電部材としての導電性ローラに電圧を印加することによって感光体ドラム１の表面を一様に帯電させるものである。
【００３０】
前記帯電された感光体ドラム１へ露光を行う露光手段３は、画像信号が図示しないレーザーダイオードに与えられると、このレーザーダイオードが画像信号に対応する画像光をポリゴンミラー３ａへ照射する。このポリゴンミラー３ａはスキャナーモータ３ｂによって高速回転し、該ミラー３ａで反射した画像光が結像レンズ３ｃ及び反射ミラー３ｄを介して一定速度で回転する感光体ドラム１の表面を選択的に露光して静電潜像を形成する。
【００３１】
前記潜像は現像カートリッジ（現像装置）Ｄによって各色毎に現像される。この現像カートリッジＤの構成については後述する。
【００３２】
現像カートリッジＤによって現像されたトナー像は、中間転写ユニット４へ転写される。第２の像担持体としての中間転写ユニット４は、感光体ドラム１から順次に１次転写されて重ねられた複数のトナー像を、一括して記録媒体Ｐに２次転写するものである。中間転写ユニット４は、矢印Ｒ４方向に走行する中間転写ベルト４ａを備えている。本実施の形態の中間転写ベルト４ａは、周長約４４０ｍｍのベルトであり、駆動ローラ４ｂ、２次転写対向ローラ４ｃ、従動ローラ４ｄの３本のローラに掛け渡されている。従動ローラ４ｄに近接して中間転写ベルト４ａを感光体ドラム１に押圧する位置と中間転写ベルト４ａが感光体ドラム１から離れる位置をとるように後退する押えローラ４ｊを備えている。中間転写ベルト４ａは、駆動ローラ４ｂの回転によって、矢印Ｒ４方向に走行する。さらに、中間転写ベルト４ａの外側の所定位置には、中間転写ベルト４ａの表面に接離可能なクリーニングユニット４ｅが設けてあり、後述の記録媒体Ｐに一括して２次転写後に残った転写残トナーを除去する。このクリーニングユニット４ｅは帯電ローラ４ｆを中間転写ベルト４ａに当接させてトナーに転写時と逆の電荷を与える。逆の電荷を付与されたトナーは、感光体ドラム１に静電的に付着され、その後、感光体ドラム１用の後述のクリーニング装置９によって回収されるものである。なお、中間転写ベルト４ａのクリーニング方法としては、上述の静電クリーニングに限らず、ブレードやファーブラシなどの機械的な方法や、これらを併用したものと等でもよい。
【００３３】
尚、中間転写ユニット４へトナー像を転写した後に感光体ドラム１の表面に残留したトナーはクリーニング手段９によって除去される。即ちこのトナーは感光体ドラム１の表面に当接したクリーニング部材としてのクリーニングブレード９ｂによって掻き落とされて除去トナー容器９ｃに蓄えられる。この除去トナー容器９ｃはクリーニング枠体９ａで形成されている。この除去トナー容器９ｃに蓄えられる除去トナーの量は、感光体ドラム１の寿命より早く除去トナー容器９ｃを満たすことがないような容量となっており、除去トナー容器９ｃ内のトナーは感光体ドラム１の寿命が来た際にプロセスカートリッジＵを交換するときに一体的に交換処理される。
【００３４】
前記中間転写ユニット４に多重転写されたトナー像を記録媒体Ｐに転写する転写手段６は、本実施の形態では転写部材としての転写ローラを有しており、この転写ローラ６は金属軸を中抵抗発泡弾性体で巻いて構成し、図１の上下方向に移動可能に設けられている。
【００３５】
この転写ローラ６は前記中間転写ユニット４に４色のトナー画像が形成している間、即ち中間転写ユニット４が複数回回転する間は、そのトナー画像を乱さぬように、図１の実線に示す如く下方に位置して中間転写ユニット４から離れている。
【００３６】
そして、中間転写ユニット４上にトナー画像が多重転写されてカラートナー画像を形成し終わった後、記録媒体Ｐにカラートナー画像を転写するタイミングに合わせて転写ローラ６は図示しないカムによって図１の一点鎖線に示すように上方の位置に移動する。これによって転写ローラ６は記録媒体Ｐを介して中間転写ユニット４に所定の圧で押しつけられる。これと同時に転写ローラ６にバイアス電圧が印加され、中間転写ユニット４上のトナー像が記録媒体Ｐに転写される。
【００３７】
前記記録媒体Ｐを搬送する搬送手段５は、例えば、図１に示すように、複数枚の記録媒体Ｐを収納した給紙カセット５ａと、ピックアップローラ５ｂ、給送ローラ５ｃ１及び重送防止のリタードローラ５ｃ２、搬送ローラ対５ｄ、レジストローラ対５ｅ、排出ローラ対５ｆ及び搬送ガイド５ｇを備えている。
【００３８】
画像形成時にはピックアップローラ５ｂが画像形成動作に応じて駆動回転し、給紙カセット５ａ内の記録媒体Ｐを一枚ずつ分離して給送する。そして給紙カセット５ａから送り出されて記録媒体Ｐを搬送ガイド５ｇによってガイドし、搬送ローラ対５ｄを経由してレジストローラ対５ｇに至らせる。画像形成動作中にレジストローラ５ｅは、記録媒体Ｐを静止待機させる非回転動作と、記録媒体Ｐを中間転写ユニット４に向けて搬送する回転動作とを所定のシーケンスで行い、次工程である転写工程時の画像と記録媒体Ｐとの位置合わせを行い、前述した転写手段によってカラートナー画像が転写される。
【００３９】
カラートナー画像が転写された記録媒体Ｐは定着手段７へ搬送されてトナー画像が定着される。この定着手段７は記録媒体Ｐに熱を印加するための定着ローラ７ａと、記録媒体Ｐを定着ローラ７ａに圧接させるための加圧ローラ７ｂからなり、両ローラ７ａ，７ｂは中空ローラであってそれぞれ内部にヒータを有して回転駆動される。そして記録媒体Ｐに熱及び圧力を印加しつつ搬送することによってトナー画像を記録媒体Ｐに定着する。
【００４０】
そして、トナーが定着された記録媒体Ｐは搬送手段を構成する排出ローラ対５ｆによって排出部８へ排出される。
【００４１】
（現像カートリッジ（現像装置））
次に前記感光体ドラム１に形成した潜像を現像するための現像カートリッジの構成について説明する。
【００４２】
この画像形成装置はフルカラー画像を形成するために、マゼンタ、シアン、イエロー、ブラックの各色の現像を可能とするために４個の現像カートリッジＤ（Ｄｍ，Ｄｃ，Ｄｙ，Ｄｂ）を有する。この現像カートリッジＤは、図１〜図３に示すように、軸１０を中心として回転するロータリーユニット１１にそれぞれ取り外し可能に装着されている。そして画像形成に際しては、各現像カートリッジＤがロータリーユニット１１に保持された状態で軸１０を中心に回転移動する。そして、所定の色トナーを収納している現像カートリッジＤが感光体ドラム１に対向した位置で止まる。更に、後述する現像ローラが感光体ドラム１に対して微小間隔（約３００μｍ程度）をもって対向するように位置決めされた後、感光体ドラム１の静電潜像に対応してトナーを供給して前記潜像を現像する。
【００４３】
カラー画像形成時には、中間転写ユニット４の１回転毎にロータリーユニット１１が回転して、マゼンタ色トナーを収納しているマゼンタ現像カートリッジＤｍ，シアン色トナーを収納しているシアン現像カートリッジＤｃ、イエロー色トナーを収納しているイエロー現像カートリッジＤｙ、ブラック色トナーを収納しているブラック現像カートリッジＤｂの順で現像工程がなされる。尚、ブラック色トナーは磁性トナーであり、その他の色トナーは非磁性トナーである。
【００４４】
図４は現像カートリッジＤ（例えばイエロー現像カートリッジＤｙ）が感光体ドラム１に対向した現像位置に位置決め静止している状態を示している。この現像カートリッジＤは、前記感光体ドラム１にトナーを供給するトナー担持体である現像部材としての現像ローラ１２と、該現像ローラ１２に供給するトナーを収納するトナー収納部６３ａを有する。また、現像ローラ１２を支持するための、複数のフレームを結合したカートリッジフレーム６３と、現像ローラ１２を露出させるための、このカートリッジフレーム６３に設けられた開口を開閉可能なシャッター６４を有しいる。更に、前記トナー収納部６３ａ内にはトナー送り部材１５が設けてある。尚、新規現像カートリッジには、前記トナー収納部６３ａ内に収納されているトナーが漏れ出ないように、トナーシール２７が取り付けられている。そこで使用者は、新規現像カートリッジＤを装置本体３０に装着するのに先立って、前記トナーシール２７を引き剥がしてトナー収納部６３ａを開封する。これによってトナー収納部６３ａ内のトナーは現像ローラ１２へ供給可能となる。
【００４５】
さて、装置本体３０から駆動力を得て、前記トナー送り部材１５が回転してトナー収納部６３ａ内のトナーを現像ローラ１２に送り込む。現像ローラ１２はアルミニウムローラを回転可能にしたものであり、この現像ローラ１２の周面には現像ブレード１６が圧接している。このため、現像ローラ１２が図４の時計回り方向へ回転すると、その周面にトナーが薄層塗布され、且つ該トナーへ電荷が付与（摩擦帯電）される。
【００４６】
そして、潜像が形成された感光体ドラム１と対向した現像ローラ１２に装置本体３０から供給された現像バイアスを印加することにより、潜像に応じてトナー画像を感光体ドラム１上に形成することができる。
【００４７】
また、各現像カートリッジＤの各現像ローラ１２は、それぞれの現像カートリッジＤが現像位置に移動されたときに、画像形成装置本体３０に設けられた各色現像用高圧電源及び駆動源と接続され、各現像カートリッジＤ毎に順次選択的に現像バイアス電圧が印加されると共に、駆動力が伝達されて現像ローラ１２等が回転する。
【００４８】
図４に示すマゼンタ現像カートリッジＤｍ、シアン現像カートリッジＤｃ、及びイエロー現像カートリッジＤｙは同じ構成である。これらの色現像カートリッジＤｍ，Ｄｃ，Ｄｙは何れも現像ローラ１２の周面と互いに逆方向に移動する周面を持つ塗布ローラ１９をカートリッジフレーム６３の現像フレーム６３Ａに回転自在に備えている。
【００４９】
図５に示すブラック現像カートリッジＤｂは塗布ローラを有しない。そして現像ローラ１２へはトナーが現像ローラ１２の内部に組み込んだマグネット（図示されない）の磁力及び付着力で付着する。そして現像ローラ１２の周面に接する現像ブレード１６によってトナーの層厚を規制されると共に摩擦帯電電荷がトナーに生ずる。尚、前記各現像カートリッジＤｍ，Ｄｃ，Ｄｙは、現像ローラ１２の内部にマグネットを備えてはいない。これは、ブラック色トナーは磁性トナーであり、マゼンタ色、シアン色、及びイエロー色トナーは非磁性トナーであることによる。
【００５０】
（現像カートリッジの画像形成装置本体への装着）
次に、前記現像カートリッジＤを画像形成装置本体３０へ装着するための構成について説明する。図１及び図１３、図１４に示すように、画像形成装置本体３０の所定位置には現像カートリッジＤの長手方向以上の幅を有する挿入口１７が設けてあり、この挿入口１７にカバー１８が開閉可能に取り付けてある。尚、通常はカバー１８によって挿入口１７を閉鎖している。
【００５１】
また、装置本体３０には現像装置交換スイッチ（図示せず）が設けてある。そこでトナーの消耗等の理由によって現像カートリッジＤを交換する際に使用者が前記スイッチを押すと、ロータリーユニット１１が固定の中心軸１０上で回転して交換したい色の現像カートリッジＤの１つが前記挿入口１７の位置まで移動する。
【００５２】
使用者が前記カバー１８を開くと、図１４に示すように画像形成装置本体３０内の片側には現像カートリッジＤの装着手段を構成するガイド５９がロータリーユニット１１の周方向を等配して４箇所に設けられている。一方、現像カートリッジＤのシャッター６４には、図６、図７、図８、図１０に示すように、ガイド部７０が設けてある。そこで使用者がこのガイド部７０を前記ガイド５９に沿わせて挿入することにより、現像カートリッジＤを画像形成装置本体３０に挿入することができる。尚、前記ガイド部７０は、現像カートリッジＤの長手方向（現像ローラ１２の回転軸方向）片側にのみ設けられている。したがって前記ガイド５９もロータリーユニット１１の一方の壁面１１ａにのみ設けられている。また、ロータリユニット１１の長手方向の両方の壁面１１ａ，１１ｅには円弧リブ２６ａ，５９ｅが設けられ、現像カートリッジＤの長手方向両側面にはこの円弧リブ２６ａ，５９ｅ内に嵌合する突出部６３ｃ，６３ｇが設けられている。
【００５３】
ここで現像カートリッジＤは、現像ローラ１２の長手方向と交差する方向から前記現像ローラ１２を前方（図１において装着後に現像ローラ１２が感光体ドラム１に対向可能な方向）にして把手６３ｅ（図７参照）を使用者が手で把んでロータリーユニット１１に進入される。
【００５４】
そして現像カートリッジＤを前記の如くして装置本体３０へ挿入したシャッター６４が不動に支持された後、使用者が現像カートリッジＤを突出部６３ｃ，６３ｇを中心に回転させることによって、シャッター６４が開いて現像ローラ１２がカートリッジフレーム６３から露出して感光体ドラム１と対向し、現像可能な状態に装着される。
【００５５】
ここでロータリーユニット１１の各装着位置に装着された現像カートリッジＤは、ロータリーユニット１１の他方の壁面１１ｅに設けられたガイド２６の円弧状嵌合部２６ａに位置する球面状の押し付け部材２６ｂによって長手方向へ付勢させる（駆動力受け部材２２の設けられている側へ付勢される）。この押し付け部材２６ｂはばね（図示せず）によって長手方向へ弾性的に付勢されている。そして現像カートリッジＤは、駆動側に付勢される。したがって現像カートリッジＤは、現像ローラ１２の長手方向において、駆動力受け部材２２の設けられている側を基準にしてロータリーユニット１１（装置本体３０）に装着される。
【００５６】
ここで、前記現像カートリッジＤの構成を図８〜１２を用いて詳細に説明する。尚、図８は現像カートリッジＤの斜視図であって、シャッター６４等を取り外した状態を示している。また、図９、図１０はシャッター６４が閉じられた状態の現像カートリッジＤの両側面図、図１１、図１２はシャッター６４が開かれた状態の現像カートリッジの両側面図である。
【００５７】
図８に示すように、現像カートリッジＤのカートリッジフレーム６３には長手方向にわたって開口部６３ｂが形成してあり、現像ローラ１２は前記開口部６３ｂから露出するようにカートリッジフレーム６３に取り付けられている。そして、カートリッジフレーム６３の長手方向一側面６３ｈの略中央には突出部６３ｃがカートリッジフレーム６３と一体的に形成されている。この突出部６３ｃは、後述するように現像カートリッジＤを画像形成装置本体３０に挿入するときのガイド、及び、現像カートリッジＤの装置本体３０への着脱の際の回動中心となるものである。また、前記突出部６３ｃは円筒状に形成されている。
【００５８】
またカートリッジフレーム６３の長手方向他側面６３ｉの略中央には突出部６３ｇが、カートリッジフレーム６３に取り外し可能に取り付けられている（尚、図８では取り外した状態を示している）。尚、この突出部６３ｇは現像カートリッジＤが装置本体に装着された際に回転中心となる軸である。この突出部６３ｇは側面６３ｉに設けた穴６３Ｅｑに差し込み部６３ｇ１を差し込むことによってカートリッジフレーム６３に取り付けられる。尚、差し込み部６３ｇ１の先端に逆爪状の部分（図示せず）を有しており、カートリッジフレーム６３に前記逆爪部分が係合することによって突出部６３ｇはカートリッジフレーム６３に取り付けられる。また現像カートリッジＤがロータリーユニット１１の装着位置に装着された際に、この突出部６３ｇの先端面６３ｇ２がロータリーユニット１１の他壁面１１ａから弾力で突出する前述した押し付け部材２６ｂに押される。したがって現像カートリッジＤは側面６３ｈの方向（図８における矢印Ｑの方向）へ押される。そこで現像カートリッジＤは、駆動力受け部材２２の設けられた側面６３ｈを基準にしてロータリーユニット１１（装置本体３０）に装着される。
【００５９】
また現像ローラ１２の両側端には、スペーサコロ１２ａ，１２ｂが取り付けられている。したがって、現像位置において、付勢手段２５（図２４参照）又はスライド部材１０ａを付勢している圧縮コイルばね１０ｂ（図３参照）の付勢力によってスペーサコロ１２ａ，１２ｂが感光体ドラム１の周面に押し付けられることによって、現像ローラ１２と感光体ドラム１は所定の間隙を維持する。
【００６０】
また、ゴム等で製作された現像ブレード１６は、板金１６ａを小ねじ１６ｂによってカートリッジフレーム６３に取り付けられている。なお、現像ブレード１６の構成については詳細を後述する。
【００６１】
また、現像カートリッジＤの一側面６３ｈには、ロック部材７１が取り付けられている（但し、図８では取り外した状態で示している）。前記ロック部材７１は、前記現像手段としての現像ローラ１２の長手方向において前記一端側に設けられた前記カートリッジフレーム６３の一側面６３ｈ部分に取り付けられている。そして前記シャッター６４の側壁６４ｅに設けられたシャッター係合凹部６４ｔと係合するロック係合部７１ｂと、前記ロック係合部７１ｂを支持する支持部７１ａと、前記カートリッジフレーム６３の一側面６３ｈに取り付けられている取り付け部７１ｃ，７１ｄと、を有している。尚、６３ｊ１，６３ｊ２は側面６３ｈに設けた穴であって、前記取り付け部７１ｃ，７１ｄが差し込まれている。また、前記ロック部材７１はプラスチック製の一体成形物である。そして装着位置に装着する過程で、前記ロック部材７１の一部分であるアーム部７１ｇが装置本体３０に設けられた固設部分と接触することによって前記支持部７１ａが撓んで前記ロック係合部７１ｂがシャッター係合凹部６４ｔから外れて前記シャッター６４のロックを解除する。
【００６２】
尚、現像カートリッジフレーム６３の長手方向一側面６３ｈのみに、図２、図３，図６、図８、図１０、図１２などに示すように、半球状の嵌合部である突起６３ｄが設けてある。そして、シャッター６４にもこれに対応した位置に突起６３ｄが嵌合し得る嵌合部である孔６４ｕが設けてある。このため、シャッター６４が閉じた状態では前記突起６３ｄが孔６４ｕに嵌まり込んでいるために、前記のようにシャッター６４のロック部材７１によるロックが解除されても、シャッター６４に対して現像カートリッジフレーム６３が不安定な位置に回転してしまうことはない。
【００６３】
さらに前記カートリッジフレーム６３の一側面６３ｈと他側面６３ｉには、後述する姿勢決めボス６３ｍ（６３ｍ１，６３ｍ２）、及びばね受け部６３ｋ（６３ｋ１，６３ｋ２）が突出している。
【００６４】
また図９に示す通り、７３はトナーシール引き抜き把手であって、使用者が前述したトナーシール２７を引き抜く際に用いられる。
【００６５】
（シャッター）
次に、シャッター６４について説明する。
【００６６】
図２５に示すように、シャッター６４の長手方向両側壁６４ｅ，６４ｆには丸孔６４ａが設けてあり、この丸孔６４ａが前記突出部６３ｃ，６３ｇに嵌合することによってカートリッジフレーム６３にシャッター６４が回動可能に取り付けられる。そして、図６、図７にし示すように、シャッター６４が閉じると開口部６３ｂが閉じられて現像ローラ１２がシャッター６４によって覆われる。現像カートリッジＤは装置本体３０から取り外されている状態にあってはシャッター６４が閉じているために、現像ローラ１２に埃等が付着することはなく、また現像ローラ１２等が傷つくこともない。また、現像カートリッジＤ内に異物が侵入することもない。
【００６７】
上述のロック部材７１の支持部７１ａは溝７１ｆを設けることによって取り付け部７１ｃ，７１ｄを設ける側を根本側として片持状にして弾性変形可能としてあり、この支持部７１ａ先端にロック係合部７１ｂ及びロック解除用のアーム部７１ｇを設けてある。上記取り付け部７１ｃは長手方向の円筒形であって取り付け穴６３ｊ１に嵌合する。また、取り付け部７１ｃの回りに設けた二個所の取り付け部７１ｄ、は長手方向へ突出する角形ダボである。そして、夫々逆爪（不図示）を有しており、取り付け穴６３ｊ１回りに設けた角形の取り付け穴６３ｊ２に嵌入することによりロック部材７１はカートリッジフレーム６３の側面６３ｈに取り付けられる。
【００６８】
そして、図１２に示すようにシャッター６４が開いた状態においてロック係合部７１ｂ先端はシャッター６４の側壁６４ｅの穴６４ａと同心の円弧部を有するカム縁６４ｎ上にあり、シャッター６４が閉じると、図１０に示すようにロック係合部７１ｂがシャッター６４のカム縁６４ｎに設けた係合凹部６４ｔに係合してシャッター６４は閉鎖状態でロックされ、不用意に開いてしまうことがない。
【００６９】
そして現像カートリッジＤを画像形成装置本体３０に装着するときに前記ロックが自動的に解除され、且つ、シャッター６４が開くようになっている。
【００７０】
（現像カートリッジの着脱）
次に、現像カートリッジＤを装置本体３０へ装着する工程、及び、装置本体３０に位置決めする工程について、図１３〜図１９を用いて具体的に説明する。
【００７１】
図１４に示すように、ロータリーユニット１１の一方の内壁面１１ａに設けた支持部材としてのガイド５９は上方へ向って開いて傾斜した傾斜部５９ａからなるガイド挿入部５９ｂと、略平行な直線リブ５９ｃからなる突出部挿入部５９ｄ、円弧リブ５９ｅからなる支持部材としての嵌合部５９ｆ、及び、前記嵌合部５９ｆに連なる略平行な直線リブ５９ｇからなるガイド部挿入部５９ｈを有している。また、他方の内壁面１１ｅにはガイド２６が設けられている。
【００７２】
図１３、図１４に示すようにロータリユニット１１を支持する中心軸１０にはロータリユニット１１の長手方向一方端のフランジ１１ｆの内壁面１１ｅ及び他方端のフランジ１１ｇの内壁面１１ａの近くにスライド部材１０ａが移動自在に設けられている。図１５に示すようにスライド部材１０ａは中心軸１０の中心と現像カートリッジＤの着脱位置における円弧リブ５９ｅの中心を結ぶ直線を対称に、この直線に平行に設けたガイド部１０ｄに移動自在に嵌合している。このガイド部１０ｄと平行にスライド部材１０ａには長穴１０ａ１が設けられ、この、長穴１０ａ１には中心軸１０に固定されたピン軸１０ｃが嵌合しており、図１５のようにガイド部材１０ａの先端円弧面１０ｅが中心軸１０の外周に連続して一つの円となる位置と、後退して図１８に示すように中心軸１０に先端円弧面１０ｅを底とする凹部１０ｆを形作る位置をとるようになっている。そして、前記ガイド部１０ｄの底とスライド部材１０ａの後端との間には圧縮コイルばね１０ｂが縮設されている。スライド部材１０ａの先端円弧面１０ｅの幅（中心軸１０と円弧リブ５９ｅの夫々の中心を結ぶ直線に直交し、図１８の紙面に平行な寸法）は後述の作用で現像カートリッジＤが現像カートリッジ装着部へ装着された状態で現像カートリッジＤの姿勢決めボス６３ｍ（６３ｍ１，６３ｍ２）が先端円弧面１０ｅ上にある大きさとなっている。
【００７３】
そして現像カートリッジＤを装置本体３０へ挿入する際には、使用者は先ず、シャッター６４に設けたガイド部７０及び突出部６３ｃをガイド挿入部５９ｂにガイドさせながら挿入する（図１５参照）。
【００７４】
更に現像カートリッジＤを挿入すると、図１６に示すように、現像カートリッジＤの長手方向一側端に設けられた突出部６３ｃが突出部挿入部５９ｄの直線部分に入り込む。この突出部６３ｃは円筒を直線リブ５９ｃと平行な角度で一部直線的にカットして二面幅としたカット部６３ｃ１を有しており、これが嵌合する２本の直線リブ５９ｃは前記カット部６３ｃ１が平行に移動する方向にのみ通過可能な幅（図１４においてＷ１を示す）を有している。そのため、カット部６３ｃ１が直線リブ５９ｃに嵌合して挿入されて、現像カートリッジＤは所定の角度（姿勢）を保って装置本体３０内へ挿入されていく。
【００７５】
そして、図１７に示すように、突出部６３ｃが円弧リブ５９ｅに至るまで挿入されると、２箇所の傾斜部５９ａのうち一方の先端がシャッター６４をロックしているロック部材７１のアーム部７１ｇに当接し、これを図１７に示す通り上方へ押し上げる。これによって支持部７１ａは弾性変形してロック係合部７１ｂがシャッター６４の係合凹部６４ｔから抜け出るため、シャッター６４のロックが解除される（即ち本実施の形態においては、前記傾斜部５９ａは前記ロック部材７１のロック解除機能も兼ねている）。この状態でシャッター６４はカートリッジフレーム６３に対して回動可能な状態となる。また、前記円弧リブ５９ｅは円筒状突出部６３ｃが回転可能な半径を有しており、現像カートリッジＤは円筒状突出部６３ｃを中心にして回動可能な状態となる。
【００７６】
一方、現像カートリッジＤの他側面６３ｉに設けた突出部６３ｇは、図１３に示すガイド２６の傾斜部２６ｃにガイドされてガイド挿入部２６ｄに侵入する。更に現像カートリッジＤを挿入すると、前記突出部６３ｃの場合と同様に、カット部６３ｇ３（図８参照）が平行する対向面となるこの二つの直線リブ２６ｅ間に嵌合して挿入されて、現像カートリッジＤは所定の角度（姿勢）を保って装置本体３０内へ挿入されていく。そして、突出部６３ｇが円弧リブ（嵌合部）２６ａに至るまで挿入する。ここで、前記円弧リブ２６ａは突出部６３ｇが回転可能な半径を有している。したがって、現像カートリッジＤは、カートリッジフレーム６３の長手方向の一側端は突出部６３ｃを支持部材としてのガイド５９の円弧リブ５９ｅに支持される。また、他側端は突出部６３ｇを支持部材としてのガイド２６の円弧リブ２６ａに支持されて、両突出部６３ｃ，６３ｇを中心にして回動可能にロータリーユニット１１に支持される。
【００７７】
尚、上述の現像カートリッジＤのロータリーユニット１１へ装着に当り夫々のカートリッジ装着部１４ｍ，１４ｃ，１４ｙ，１４ｂへの誤りなく現像カートリッジＤｍ，Ｄｃ，Ｄｙ，Ｄｂを装着するための構成については後述する。
【００７８】
次に、図１７に示す状態で使用者がカートリッジフレーム６３の把手部６３ｅを手で押すと、シャッター６４はガイド部７０がガイド部挿入部５９ｈに挟まれているために固定されているが、カートリッジフレーム６３は円筒状の突出部６３ｃが円弧リブ５９ｅ内で回転可能である。また、突出部６３ｇが円弧リブ２６ａ内で回転可能であるから、前記半球状の突起６３ｄがシャッター６４の孔６４ｕを乗り越えて所定位置まで回転する（図１７の矢印Ｘ方向）。前述した通り本実施の形態にあっては、シャッター６４に挿入ガイド部７０が設けてあるために、シャッター６４を固定状態にしてカートリッジフレーム６３を容易に回転させることができる。そして、所定位置まて回転すると、後述する位置決め手段によってカートリッジフレーム６３が位置決めされ、現像カートリッジＤが装着される。
【００７９】
図１７で示した状態の現像カートリッジＤを矢印Ｘ方向へ回転させる際に、カートリッジフレーム６３の長手方向両側面６３ｈ，６３ｉに設けられた姿勢決めボス６３ｍ（６３ｍ１，６３ｍ２）が、ロータリーユニット１１を支持する装置本体３０に固定された中心軸１０の両端に設けられ、圧縮コイルばね１０ｂで付勢されて中心軸１０の直径をわたるガイド部１０ｄに移動可能に嵌合しているスライド部材１０ａを押し下げる（図１８参照）。尚、スライド部材１０ａはガイド部１０ｄに平行な長穴１０ａ１が中心軸１０に固設されたピン軸１０ｃに嵌合していて限定的にスライド移動可能である。即ち、ピン軸１０ｃが長穴１０ａ１の一方端に当接した状態でスライド部材１０ａの先端円弧面１０ｅがピン軸１０の外周と同一面となっている。そして図１９に示すように、更にカートリッジフレーム６３を回転させると、カートリッジフレーム６３の長手方向両側面６３ｈ，６３ｉに設けられたばね受け部６３ｋがロータリーユニット１１の両端部に設けたばね１１ｄによって加圧される。これによってカートリッジフレーム６３は矢印Ｙ方向（図１９）へ回転する力が加えられる。しかし両姿勢決めボス６３ｍがロータリーユニット１１の中心軸１０に設けたスライド部材１０ａ突き当たっているため、カートリッジフレーム６３の姿勢は図１９に示す装着位置で安定する。
【００８０】
すなわち、現像カートリッジＤはロータリーユニット１１の所定の装着位置に装着される。
【００８１】
尚、１１ｊはロータリーユニット１１に設けたガイド部であって、ボス６３ｍをガイドする。
【００８２】
これにより、カートリッジフレーム６３に対してシャッター６４が開いて現像ローラ１２が露出し、感光体ドラム１と対向可能となる。そして、この装着に際しては前記のように前記半球状の突起６３ｄがシャッター６４の孔６４ｕを外れるときのクリック感により使用者は、現像カートリッジＤの回転開始位置を認識することができる。
【００８３】
ここで、一端側の突出部６３ｃの円筒部６３ｃ２の直径はカット部６３ｃ１間の距離よりも大きいために、突出部６３ｃが円弧リブ５９ｅの位置で回転した状態では、突出部６３ｃが直線リブ５９ｃ間から抜け出ることはない。
【００８４】
同様に他端側の突出部６３ｇの円筒部６３ｇ４の直径はカット部６３ｇ３間の距離よりも大きいために、突出部６３ｇが円弧リブ２６ａの位置で回転した状態では、突出部６３ｇが直線リブ２６ｅ間から抜けでることはない。
【００８５】
一方、現像カートリッジＤを画像形成装置本体３０から取り出すときは使用者が前述した場合とは反対方向へカートリッジフレーム６３を回転させると、カット部６３ｃ１が直線リブ５９ｃと平行になると共に、シャッター６４が閉じる。このとき前述と同様に半球状の突起６３ｄが孔６４ｃに入り込むときのクリック感により、使用者は現像カートリッジＤの回転終了位置（着脱位置）を認識することができる。この状態で現像カートリッジＤを装置本体３０から引き抜くと、図１６に示す通りの状態となって、ロック部材７１の支持部７１ａが弾性復帰し、ロック係合部７１ｂが係合凹部６４ｔに入り込む。これによってシャッター６４が自動的にロックされる。
【００８６】
上記のように現像カートリッジＤにシャッター６４を設けることにより、現像ローラ１２に埃が付着することを防止することができ、また、このシャッター６４にロック機構を設けたために前記シャッター６４が不用意に開いてしまうことを防止し得る。
【００８７】
また前記シャッター６４は、画像形成装置本体３０に挿入する際には閉鎖状態を維持するために挿入途中で現像ローラ１２が傷つくことはない。また従来のように現像カートリッジを挿入する前に使用者が手でもって現像ローラ保護部材等を取り外すような手間がかからない。
【００８８】
更に、現像カートリッジは画像形成装置本体３０に装着する際に、自動的にシャッターロックが解除され、且つ、挿入後回転させるだけでシャッター６４が開放して現像ローラ１２が感光体ドラム１と対向して装着が完了するために装着操作性が向上する。
【００８９】
（現像カートリッジの位置決め）
次に現像カートリッジＤの位置決めについて説明する。
【００９０】
まず図２０を用いて、付勢力受け部としてのばね受け部６３ｋ（６３ｋ１，６３ｋ２）、及び、突き当て部としての姿勢決めボス６３ｍ（６３ｍ１，６３ｍ２）の配置について説明する。
【００９１】
尚、現像ローラ１２の長手方向に関しカートリッジフレーム６３の一側面６３ｈ側を例に挙げて説明するが、他側面６３ｉ側も同様である。
【００９２】
さて本実施の形態においては、ばね受け部６３ｋは、現像ローラ１２の長手方向から見た場合に、前記現像ローラ１２の回転中心Ｍ２と前記駆動力受け部材２２の回転中心Ｍ１とを結んだ直線Ｌ１に対して、回転中心Ｍ１を頂点として約１００度〜１３０度の範囲内に配置されている。
【００９３】
本実施の形態に則して具体的に説明すると、現像ローラ１２の長手方向から見た場合に、前記現像ローラ１２の回転中心Ｍ２と前記駆動力受け部材２２の回転中心Ｍ１とを結んだ直線Ｌ１と、ばね受け部６３ｋ１（６３ｋ２）のばね受け面６３ｋ３（回転中心Ｍ１を中心とする半径方向の面上にある）と回転中心Ｍ１を結んだ直線Ｌ２とがなす角度が約１００度〜１３０度の範囲内となるように前記ばね受け部６３ｋ１（６３ｋ２）が配置されている。尚、本実施の形態においては、約１１５度に配置されている。
【００９４】
また前記ボス６３ｍ（６３ｍ１，６３ｍ２）は前記直線Ｌ１に対して、前記ばね受け部６３ｋの設けられたのとは反対側に約１３０度〜１５０度の範囲内に配置されている。
【００９５】
本実施の形態に則して具体的に説明すると、前記直線Ｌ１と、ボス６３ｍの中心６３ｍ３と回転中心Ｍ１を結んだ直線Ｌ３とがなす角度が約１３０度〜１５０度の範囲内となるように前記ボス６３ｍが配置されている。尚、本実施の形態においては、約１４０度に配置されている。
【００９６】
このようにばね受け部６３ｋ（６３ｋ１，６３ｋ２）及びボス６３ｍ（６３ｍ１，６３ｍ２）を配置することによって、ばね受け部６３ｋが装置本体３０のロータリーユニット１１に設けられた圧縮コイルばね１１ｄの弾性力を良好に受けることができる。またボス６３ｍがピン軸１０に設けたスライド部材１０ａと良好に突き当たることができる。したがって、現像カートリッジＤの装着位置に対する位置決めを精度良く行うことができる。
【００９７】
尚、前記ボス６３ｍ（６３ｍ１，６３ｍ２）はカートリッジフレーム６３の側面６３ｈ，６３ｉから約２ｍｍ〜１５ｍｍ外方へ突出している。本実施の形態においては、ボス６３ｍは約４ｍｍ突出している。
【００９８】
また前記ばね受け部６３ｋ（６３ｋ１，６３ｋ２）は、カートリッジフレーム６３の側面６３ｈ，６３ｉから約２ｍｍ〜２０ｍｍ外方へ突出している。本実施の形態においては、ばね受け部６３ｋ１は約１０ｍｍ、６３ｋ２は約６ｍｍ突出している。即ち、駆動力受け側に設けられたばね受け部６３ｋ１の方が突出量が大きい。
【００９９】
（現像カートリッジの駆動部）
次に現像カートリッジＤへの装置本体からの駆動伝達構成について説明する。
【０１００】
図２１、図２２及び図４４に示すように、カートリッジフレーム６３の長手方向両端の両側面６３ｈ，６３ｉに設けた突出部６３ｃ，６３ｇのうち、一方側に設けた円筒状の突出部６３ｃの内部には現像ローラ１２へ装置本体３０からの回転駆動力を伝達するための駆動力受け部材２２が設けてある。そして、この駆動力受け部材２２には段付駆動ギア２３ａが一体成形されている。そして、前記ギア２３ａの大ギア２３ａ１には現像ローラ１２の回転軸１２ｃに取り付けた現像ローラギア２３ｂが噛合しており、駆動力受け部材２２に駆動力が伝達されると現像ローラ１２が回転する。また、前記ギア２３ａの小ギア２３ａ２は段付のアイドラギア２３ｃを介してトナー送り部材１５の回転軸となるジャーナル３３（図３１参照）と一体成形した撹拌ギア２３ｄと噛合し、トナー送り部材１５へも回転力を伝達するようになっている。また、塗布ローラ１９の回転軸１９ａに固定した塗布ローラギア２３ｅが駆動力受け部材２２と一体の小ギア２３ａ２に噛み合っている。
【０１０１】
前記駆動力受け部材２２の先端はカップリング部材２２ｄとして十文字のリブを有しており、この部分が後述する装置本体３０の駆動伝達部材と連結するカップリングとなってている。
【０１０２】
一方、図２１に示すように画像形成装置本体３０に設けられたロータリーユニット１１には、前記現像カートリッジＤが装着された位置において前記駆動力受け部材２２と対向する同軸上に、モータ２４Ｍからの駆動力を伝達するための駆動伝達部材２４が設けられている。尚、モータ２４Ｍから駆動伝達部材２４に駆動力を伝達する伝達機構については二点鎖線で模式的に示している。この駆動伝達部材２４は、図２１に矢印イで示すように、駆動力受け部材２２の回転軸方向へ移動可能に取り付けられており、且つ、その先端は前記駆動力受け部材２２のリブに嵌合可能なカップリング形状に形成されている。尚、ここでカップリング形状とは、駆動力受け部２２に対して駆動伝達部材２４が軸方向へ移動したときに、両者が係合し、一方が回転すると他方も一体的に回転するように構成した形状をいう。本実施の形態においては、前記駆動力受け部材２２に４個の凹部２２ａを設け、一方駆動伝達部材２４には４個の凸部２４ａを設けている。そして前記凹部２２ａと凸部２４ａが嵌合した状態で駆動伝達部材２４が回転することによって前記駆動力受け部材２２が回転する。
【０１０３】
そして、画像形成に際しては装着された現像カートリッジＤがロータリーユニット１１の回転によって画像形成のための現像作用位置へ移動してくると、前記駆動伝達部材２４が移動機構（図示せず）によって駆動力受け部材２２方向へ移動し、該駆動力受け部材２２とカップリング連結し、現像ローラ１２等へ駆動力を伝達するようになっている。このように構成することにより、感光体ドラム１に対する現像カートリッジＤの停止位置が多少ずれていたとしても、或いは感光体ドラム１とロータリーユニット１１の母線が多少ずれていたとしても、現像カートリッジＤへの駆動力は必ず同じ位置から、しかもカップリングによる駆動トルクのみを伝達するために、ギアのかみ合いの狂いによるピッチムラ等を軽減することが可能となる。
【０１０４】
次に図２３及び図２４を参照して感光体ドラム１に対する現像ローラ１２の加圧力を安定させるための構成について説明する。なお上記図２２における駆動部材と同様の機能を果たすものは同一符号を付して説明を援用する。
【０１０５】
前述したように、現像カートリッジＤは現像位置において画像形成装置本体３０に設けられた駆動伝達部材２４から駆動力受け部材２２へと回転力が伝達される。
【０１０６】
ここで、図２３に示すように、前記現像カートリッジＤが現像作用位置にあるときに、現像カートリッジＤの前記突出部６３ｃを中心とした現像カートリッジＤの回転中心と感光体ドラム１の回転中心とを結ぶ直線をＸ１とし、前記突出部６３ｃの回動中心と前記現像ローラ１２の回転中心とを結ぶ直線をＸ２としたとき、突出部６３ｃの回動中心からみて、前記駆動力受け部材２２への駆動回転方向Ｒに対して前記直線Ｘ２が前記直線Ｘ１の上流側に位置する。
【０１０７】
このように構成することにより、現像カートリッジＤはＲ方向への回転モーメントを受け現像ローラ１２には常に感光体ドラム１に対して食い込む方向へ力が作用し、且つ食い込み勝手の配置となるために、現像ローラ１２は感光体ドラム１方向ヘ常に安定して押圧され、安定した現像が行われるようになる。これは、所謂接触現像においても効果的であるが、特に非接触現像においては感光体ドラム１と現像ローラ１２間に安定したギャップが保たれるので効果的である。
【０１０８】
また、図２４に示すように、前記現像カートリッジＤが現像作用位置にあるときに、前記現像カートリッジＤを感光体ドラム１方向へ付勢して固定する矢印方向に移動可能な付勢手段２５を設けた場合、この付勢手段２５の付勢方向Ｑにより前記現像カートリッジＤに生ずるモーメントの方向をＤＭとして、前記突出部６３ｃによる現像カートリッジＤの回転中心と感光体ドラム１の回転中心を結ぶ直線をＸ１とし、突出部６３ｃの回動中心と現像ローラ１２の回転中心とを結ぶ直線をＸ２としたとき、突出部６３ｃの回動中心からみて、前記モーメントの方向ＤＭに対して前記直線Ｘ２が前記直線Ｘ１の上流側に位置するように構成しても前記と同様の効果を得ることができる。ここで前記付勢手段２５は、前記現像カートリッジＤの長手方向の一端側と他端側にあって、トナー収納部６３ａ側の背面部分を押圧する。
【０１０９】
（現像カートリッジの誤装着防止手段）
現像カートリッジＤ（Ｄｍ，Ｄｃ，Ｄｙ，Ｄｂ）は夫々取り付け形状、寸法等の取り付け部が同一であってロータリーユニット１１の複数のカートリッジ装着部のいずれにも装着可能である。そこでロータリーユニット１１の所定色のカートリッジ装着部へ、このカートリッジ装着部へ装着すべき現像カートリッジ以外の他の現像カートリッジを装着できないようにすることによって、使用者が現像カートリッジをカートリッジ装着部へ装着する操作性を向上することができる。図２、図３、図１３、図１４に示すようにロータリーユニット１１は両端に円板状のフランジ１１ｆ，１１ｇを有しこのフランジ中心を軸１０により支持されている。そしてロータリーユニット１１の周方向を等配してカートリッジ装着部１４が設けられている。このカートリッジ装着部１４は本例ではロータリーユニット１１の周方向を四等配して設けられ、現像カートリッジＤｍ，Ｄｃ，Ｄｙ，Ｄｂが装着可能なカートリッジ装着部１４ｍ，１４ｃ，１４ｙ，１４ｂとなっている。
【０１１０】
このカートリッジ装着部１４を仕切る仕切り板１１ｍ，１１ｃ，１１ｙ，１１ｂが両フランジ１１ｆ，１１ｇ間にわたされていて両フランジ１１ｆ，１１ｇを結合している。前記仕切り板１１ｍ，１１ｃ，１１ｙ，１１ｂは図２、図３に示す断面でロータリーユニット１１の軸方向に延在する。この仕切り板１１ｍ，１１ｃ，１１ｙ，１１ｂはフランジ１１ｇ（駆動力受け部側）に近い端部において、各仕切り板に夫々本体識別部１１ｍ１，１１ｃ１，１１ｙ１，１１ｂ１が設けられている。なお、図２、図３ではロータリーユニット１１を識別部１１ｃ１の位置で軸直角断面で切断して示してあり、識別部１１ｍ１，１１ｙ１，１１ｂ１は図に見えない。識別部１１ｍ１，１１ｃ１，１１ｙ１，１１ｂ１はロータリーユニット１１の軸方向について夫々異なる位置にある（図４３参照）。この識別部１１ｍ１，１１ｃ１，１１ｙ１，１１ｂ１は夫々同一形状で仕切り板１１ｍ，１１ｃ，１１ｙ，１１ｂの外周側の縁に切り込んだ凹部となっている。
【０１１１】
一方図２５、図４３に示すように、現像カートリッジＤのシャッター６４（６４ｍ，６４ｃ，６４ｙ，６４ｂ）には、夫々の現像カートリッジＤを区別するためのカートリッジ識別部６４Ｍ，６４Ｃ，６４Ｙ，６４Ｂが設けられている（図２、図３、図２５は識別部６４Ｂを示す）。これらの識別部６４Ｍ，６４Ｃ，６４Ｙ，６４Ｂは現像カートリッジＤのシャッター６４の円筒形外周の長手方向の異なる位置に設けられている。この識別部６４Ｍ，６４Ｃ，６４Ｙ，６４Ｂはシャッター６４の外周から突出して凸部として設けられている。この識別部６４Ｍ，６４Ｃ，６４Ｙ，６４Ｂはシャッター６４を長手方向から見て夫々シャッター６４に設けた丸穴６４ａのほぼ中心方向を向いている直線状の突条となったガイド７０にほぼ直交し、丸穴６４ａのほぼ中心をとおる位置に中心が存在する。この識別部６４Ｍ，６４Ｃ，６４Ｙ，６４Ｂはシャッター６４の現像ローラ１２にのぞむ側の縁である開き端６４ｈ近くであって長手方向の駆動力受け側近くにまとめて設けられている。
【０１１２】
図２５に示すようにシャッター６４には識別部６４Ｍ，６４Ｃ，６４Ｙ，６４Ｂを取り付けるために長手方向に一直線上に等間隔に駒６４ｒをを取り付け可能な座６４ｓが四個所等間隔に設けてある。この座６４ｓには駒位置決め用穴６４ｐ，６４ｑがシャッター６４の周方向に並列しており、穴６４ｐは丸穴であり穴６４ｑはシャッター６４の周方向に長い長穴である。駒６４ｒは六立方体形であって図２５には見えない座６４ｓに対向する面には穴６４ｐ，６４ｑに嵌合する突起が設けてあり、この穴６４ｐ，６４ｑにこの突起を嵌合して位置決めすると共に座６４ｓと駒６４ｒを接着にて固定する。
【０１１３】
これらの四つの座６４ｓの何れか１つに駒６４ｒを取り付け、現像カートリッジＤの識別部６４Ｍ，６４Ｃ，６４Ｙ，６４Ｂとするものである。このような識別部６４Ｍ，６４Ｃ，６４Ｙ，６４Ｂを有する現像カートリッジＤをカートリッジ装着部１４ｍ，１４ｃ，１４ｙ，１４ｂに夫々装着する際、夫々現像カートリッジＤの識別部６４Ｍ，６４Ｃ，６４Ｙ，６４Ｂは図４３に示すようにカートリッジ装着部１４の識別部１１ｍ１，１１ｃ１，１１ｙ１，１１ｂ１に夫々嵌合し夫々カートリッジ装着部１４ｍ，１４ｃ，１４ｙ，１４ｂに進入できるが、カートリッジ装着部１４ｙに対して現像カートリッジＤｍ，Ｄｃ，Ｄｂの何れの識別部６４Ｍ，６４Ｃ，６４Ｂもカートリッジ装着部１４の仕切り板１１ｙの識別部１１ｙ１のない縁に当って現像カートリッジＤｍ，Ｄｃ，Ｄｂはイエロー色現像カートリッジＤｙ用のカートリッジ装着部１４ｙへは装着出来ない。
【０１１４】
同様にしてマゼンタ色の現像カートリッジＤｍを装着するためのカートリッジ装着部１４ｍは現像カートリッジＤｙ，Ｄｃ，Ｄｂは装着できない。シアン色の現像カートリッジＤｃを装着するためのカートリッジ装着部１４ｃへは現像カートリッジＤｙ，Ｄｍ，Ｄｂは装着できない。ブラックトナーを収容した現像カートリッジＤｂを装着するためのカートリッジ装着部へは現像カートリッジＤｙ，Ｄｍ，Ｄｃは装着できない。
【０１１５】
図２、図２６は現像カートリッジＤｃを装着するためのカートリッジ装着部１４ｃへ現像カートリッジＤｃを装着する途中が示されている。現像カートリッジＤｃをカートリッジ装着部１４ｃへ装着する際現像カートリッジＤｃの直線状のガイド部７０はカートリッジ装着部１４ｃのガイド部挿入部５９ｈへ挿入されてシャッター６４は直線状にカートリッジ装着部１４ｃに進入し、同時に現像カートリッジＤｃも短手方向に並進運動をする。そしてロータリユニット１１の駆動側フランジ１１ｇの壁面１１ａに設けたガイド部１１ｊに現像カートリッジＤｃの姿勢決めボス６３ｍが進入し得る位置に来る。またシャッター６４に設けた識別部６４Ｃは仕切り板１１ｃの縁１１ｘに来るがこの縁１１ｘには識別部６４Ｃに限り進入し得る凹部となった識別部１１ｃ１があるため、現像カートリッジＤｃは突出部６３ｃがロータリユニット１１の嵌合部５９ｆに嵌合し、識別部１１ｃ１，６４Ｃが嵌合し、またガイド部１１ｊにボス６３ｍが進入し、図２、図１７、図２６の位置となる。ここでカートリッジフレーム６３を図２において時計回りに回動すると既にのべたようにしてロータリーユニット１１のカートリッジ装着部１４ｃへシアントナーを収容したシアン現像カートリッジＤｃが図３に示すように装着される。
【０１１６】
シアントナー以外の色トナーを収容した現像カートリッジＤｍ，Ｄｙ，Ｄｂをシアン現像カートリッジＤｃを装着可能なカートリッジ装着部１４ｃへ装着しようとすると、現像カートリッジＤｍ，Ｄｙ，Ｄｂのガイド部７０先端はガイド部挿入部５９ｈに挿入し得るが図２に示す途中の位置１３までガイド部７０の進行方向の先端が達した際に現像カートリッジＤｍ，Ｄｙ，Ｄｂの識別部６４Ｍ，６４Ｙ，６４Ｂが仕切り板１１ｃの外周側の縁１１ｘに当って現像カートリッジＤｍ，Ｄｙ，Ｄｂはそれ以上直線状に進めなくなり、また図１６に示すように突出部６３ｃの二面幅としたカット部６３ｃ１が直線リブ５９ｃ（図１４参照）に既に進入しているので現像カートリッジＤｍ，Ｄｙ，Ｄｂは回動もできない。従ってシアントナーを収容した現像カートリッジＤｃ以外の現像カートリッジＤｍ，Ｄｙ，Ｄｂは現像カートリッジＤｃのカートリッジ装着部１４ｃへは装着できない。
【０１１７】
同様にして各カートリッジ装着部１４ｍ，１４ｙ，１４ｂには夫々現像カートリッジＤｍ，Ｄｙ，Ｄｂのみが夫々装着できるが他の現像カートリッジは装着できない。
【０１１８】
このように多色画像を形成する電子写真画像形成装置の本体３０に着脱可能であって、電子写真感光体ドラム１に形成された潜像を現像するための複数の現像カートリッジＤに各々取り付けられるシャッター６４において、現像カートリッジＤのカートリッジフレーム６３に対して長手方向の中心でもって回動可能に取り付けられ、画像形成装置本体３０の現像カートリッジ装着部１４へ装着するためのガイド部７０を備え、画像形成装置本体３０外にあるときに現像カートリッジＤの現像ローラ１２が前記カートリッジフレーム６３から露出する部分をカバーするためのカバー位置と、画像形成装置本体３０のカートリッジ装着位置へ装着された際前記カバー位置から退避して前記現像ローラ１２を前記カートリッジフレーム６３から露出させる退避位置と、を移動可能であって、画像形成装置本体３０に有する複数の現像カートリッジ装着部１４の何れか１つへ現像カートリッジＤを装着する際現像カートリッジＤの識別を行うために画像形成装置本体３０に設けた識別部１１ｍ１，１１ｃ１，１１ｙ１，１１ｂ１と位置が一致して、前記識別部へ進入する現像カートリッジ識別部６４Ｍ，６４Ｃ，６４Ｙ，６４Ｂを有するシャッター６４を現像カートリッジＤに夫々備えたことにより、使用者が現像カートリッジを画像形成装置本体のカートリッジ装着部へ装着する際に、そのカートリッジ装着部に適合しない他色の現像カートリッジを装着してしまうということを防止できる。
【０１１９】
現像カートリッジ識別部はシャッター６４に予かじめ共通の座６４ｓを設けておいて駒６４ｒを選択的に取り付けるため、特にシャッター６４を多種類準備する必要がなく、コスト上昇が少ない。
【０１２０】
この実施の形態では識別部を現像カートリッジの駆動力受け部側に寄せて配列したが長手方向であれば他の場所に識別部を設けてもよい。又、識別部の間隔は不等間隔であってもよい。識別部を角形凸凹部としたが凸凹形状であれば円弧形、Ｖ形等特に形状にはとらわれない。
【０１２１】
（現像フレームの構成）
図４、図６、図７に示すように、全体を符号６３で示すカートリッジフレームは現像フレーム（主カートリッジフレーム）６３Ａ、トナーフレーム６３Ｂ、カバーフレーム６３Ｃ、サイドカバー（現像剤カートリッジサイドカバー）６３Ｄ，６３Ｅ及びカップリングフレーム６３Ｆで構成される。
【０１２２】
図４に示すように現像フレーム６３Ａとトナーフレーム６３Ｂは現像フレーム６３Ａの短手方向両側において長手方向に沿って設けたフランジ６３Ａａとトナーフレーム６３Ｂに長手方向に沿って設けたフランジ６３Ｂａとの結合面６３ｎとに長手方向の三角突条を設けてこの突条を超音波溶着して両フレーム６３Ａ，６３Ｂを結合してある。
【０１２３】
トナーフレーム６３Ｂとカバーフレーム６３Ｃは両フレームの開口６３ｏを併せて１つのトナー容器とするように、トナーフレーム６３Ｂの前記フランジ６３Ｂａを断面鍵形にしてその上面を結合面６３ｐとし、この結合面６３ｐを一平面とするフランジ６３Ｂｂを開口６３ｏを囲繞するように設けてある。カバーフレーム６３Ｃ側の開口６３ｏを囲繞するフランジ６３Ｃｂを結合面６３ｐでトナーフレーム６３Ｂのフランジ６３Ｂｂと接して超音波溶着してある。
【０１２４】
また斜視図で示す図６、図７に示すように上述のように結合された現像フレーム６３Ａとトナーフレーム６３Ｂの長手方向両端部をサイドカバー６３Ｄ，６３Ｅが覆っており、サイドカバー６３Ｅは現像フレーム６３Ａにねじ止めされており、サイドカバー６３Ｄは現像フレーム６３Ａに固定されたカップリングフレーム６３Ｆにねじ止めされている。これによって総てのフレームは一体的なカートリッジフレーム６３となっている。
【０１２５】
（現像フレーム）
図４、図５、図２７、及び、図２８に基ずいて説明する。
【０１２６】
現像フレーム６３Ａは、短手方向の両側で長手方向に沿って設けたフランジ６３Ａａからトナーフレーム６３Ｂの開口部６３Ｂｃ側へ向って突出している。この突出部前面６３Ａｂは、その短手方向の一端側が長手方向に沿ってトナーシール面２７ａと対向している。尚、トナーシール面２７ａは、トナーフレーム６３Ｂに設けられた、トナーシール２７を貼り付ける面であり、
トナーシール２７はこのトナーシール面２７ａに貼り付けられている。そして前記突出部前面６３Ａｂの内、前記トナーシール面２７ａに貼り付けられたトナーシール２７と接近している長手方向平面６３Ａｂ１（図２７参照）と、平面６３Ａｂ２とが同一平面となっている。ここで前記平面６３Ａｂ２は、トナー供給開口部６３Ａｅの長手方向両側で、その短手方向に沿って設けられており、前記平面６３Ａｂ２に続いて設けられている。
【０１２７】
突出部前面６３Ａｂの上記長手方向両側で短手方向に沿ってのびる短手方向平面６３Ａｂ２は、塗布ローラ１９の長手方向のすぐ外側で、塗布ローラ１９の外周半径よりもわずかに大きな半径で、塗布ローラ１９と同心の円弧面６３Ａｂ３となって続いている。この突出部前面６３Ａｂの両端から屈折した短手方向の面６３Ａｂ２，６３Ａｂ３は幅のせまい面である。尚、上記長手方向平面６３Ａｂ１はフランジ６３Ａａより直角に突出している。
【０１２８】
前記突出部前面６３Ａｂの長手方向の両側に離れて弾性部材の端部シール３１ａ，３１ｂが現像フレーム６３Ａに貼り付け固定されている。更にトナーシール２７の引き出し側にはトナーシール２７との間の摩擦を減少させるためのフィルム３１ｃが端部シール３１ａ上の内部側に貼り付けられている（図２７参照）。
【０１２９】
また、現像フレーム６３Ａは、前記平面６３Ａｂ２よりも凹んだ位置に、前記端部シール３１ａ・ｂを貼り付けられる端部シール貼り付け面６３Ａｃを有している。そして前記貼り付け面６３Ａｃの短手方向両側に円弧面６３Ａｄを有しており、前記貼り付け面Ａｃとフランジ６３Ａａとの間をこの円弧面６３Ａｄで滑らかに接続している（図２７、図２８参照）。尚、端部シール３１ａ・ｂは、トナー供給開口部６３Ａｅの長手方向両端部に、現像フレーム６３Ａの短手方向に沿って設けられている。そしてこの端部シール３１ａ・ｂの長手方向両端部は、６３Ａａと、それに対向するトナーフレーム６３Ｂの短手方向端部とに狭まれている。尚、６３ｎは溶着された結合面である。
【０１３０】
一方、トナーフレーム６３Ｂには、現像フレーム６３Ａ、トナーフレーム６３Ｂを結合した際に、現像フレーム６３Ａに貼り付けられている端部シール３１ａ・ｂを押圧するシール面６３Ｂｕが設けられている（図２８）。
【０１３１】
また、現像フレーム６３Ａを貫通して、トナー受け入れ開口としてのトナー供給開口６３Ａｅが設けられている。このトナー供給開口６３Ａｅは、現像ローラ１２の長手方向に沿って設けられている。そして、このトナー供給開口６３Ａｅは、クリーニングブレード１６とシール部材３４とによって上下方向の開口領域を狭められている。このトナー供給開口６３Ａｃは、前記前面６３Ａｂ、軸取り付け部６３ｑ、及び、フランジ６３Ａａで囲まれている。尚、現像ローラ１２は、トナー供給開口６３Ａｅの長手方向に沿って設けられた現像ローラ装着部に装着される（図２９）。
【０１３２】
上述したようにこの現像フレーム６３Ａは感光体ドラム１に形成された潜像を現像するための現像ローラ１２と、現像ローラ１２によって現像に用いられるトナーを収納するためのトナー収納部６３ａと、現像ローラ１２の周面にトナーを塗布するための塗布ローラ１９と、を有して、感光体ドラム１に形成された潜像を現像するための、画像形成装置本体３０に着脱可能な現像カートリッジＤに用いられる現像フレームであって、トナー収納部６３ａに収納されているトナーを現像ローラ１２へ供給するためのトナー供給開口６３Ａｅと、トナー供給開口に沿って前記現像ローラ１２を装着するための現像ローラ装着部と、トナー収納部６３ａを有するトナーフレーム６３Ｂと結合するための結合面であって、トナー供給開口６３Ａｅの短手方向一端側と他端側とにトナー供給開口の長手方向に沿って設けられている結合面６３ｎと短手方向一端側と他端側とに設けられた結合面６３ｎを結んだ仮想平面Ｃを横切るように、トナーフレーム６３Ｂの設けられた側に突出して設けられた突出部前面６３Ａｂ、軸取り付け部６３ｑ、貼り付け面６３ｃを有する突出部を有する。
【０１３３】
また、前記短手方向一端側と他端側とに設けられた結合面６３ｎを結んだ面を横切るように突出し、前記トナー供給開口６３Ａｅに沿って前記塗布ローラを取り付けるために、前記塗布ローラ１９を支持するための軸を取り付けるための軸取り付け部６３ｑと、ここで前記軸取り付け部６３ｑは前記トナー供給開口６３Ａｅの短手方向一端側と他端側とに設けられている前記結合面６３ｎを結んだ面よりも前記現像ローラ１２が装着される側に前記軸を取り付けるように設けられている、また、前記軸取り付け部は前記トナー供給開口６３Ａｅの長手方向一端側と他端側とに設けられている。
【０１３４】
前記軸取り付け部６３ｑに軸１９ａが取り付けられた塗布ローラ１９は、前記トナー供給開口６３Ａｅの短手方向一端側と他端側とに設けられている前記結合面６３ｎを結んだ面をその長手方向で横切るように取り付けられる。
【０１３５】
長手方向の両端部には短手方向に前記トナーフレーム側のトナー供給開口を封止するトナーシール２７を押圧するための弾性部材２６ｂが取り付けられており、前記弾性部材２６ｂの取り付け面は前記結合面６３ｎを結んだ平面よりもトナーフレーム側へ向って突出した突出面である。
【０１３６】
前記突出面の前端は平面であって、この平面は塗布ローラ１９よりも現像フレーム側へ突出している。
【０１３７】
長手方向両端の前記弾性部材２６ｂの取り付け面を結ぶように接する面は塗布ローラ１９より離れている。
【０１３８】
前記弾性部材２６ｂの取り付け面は短手方向の一端が前記長手方向に設けられている結合面と前記突出面の前端との間が塗布ローラ１９の外側をとおる曲面で結ばれている。
【０１３９】
前記曲面は塗布ローラ１９と同一中心線を中心とする円弧である。
【０１４０】
前記弾性部材２６ｂの取り付け面の前記曲面を設けた短手方向の反対側の他端が前記長手方向に設けられている結合面との間が外方へ向って凸な曲面で結ばれている。
【０１４１】
前記トナー供給開口６３Ａｅはトナーフレーム側より見て長手方向に長い方形であって、前記トナー供給開口６３Ａｅの短手方向の一端側の縁に沿って塗布ローラ１９が配設されるように塗布ローラ取り付け部を有し、トナー供給開口は短手方向の一端側が前記結合面とほぼ同一面、短手方向の他端側及び長手方向両端が前記長手方向両側の弾性部材の取り付け面を結ぶ面とほぼ同一面でもって縁取りされている。
【０１４２】
次に、両結合面６３ｎを結ぶ仮想平面Ｃに対して、トナーフレーム６３Ｂとは反対側の現像フレーム６３Ａの構成をのべる。
【０１４３】
図４に示すように、塗布ローラ１９の金属製の回転軸１９ａを支持する軸取り付け部６３ｑは現像フレーム６３Ａと一体に成形されており、現像フレーム６３Ａの長手方向の両端部近傍に設けられている。そして、軸取り付け部６３ｑに設けられる回転軸１９ａが嵌入する軸受穴６３ｑ１は、両結合面６３ｎを結ぶ平面Ｃよりも現像ローラ１２側にある。即ち、上記結合面６３ｎを結ぶ平面Ｃに対して、トナーフレーム６３Ｂとは反対側にある。尚、ブラック現像カートリッジＤｂは塗布ローラを有しない（図２８、図２９）。
【０１４４】
この軸取り付け部６３ｑは、図２９に示すように、現像ローラ１２の現像作用領域と外部間をシールするためのフエルトの弾性シール部材３２を貼り付けるための円弧形凹面６３Ａｇを有する。尚、この凹面６３Ａｇは、現像ブレード１６とほぼ平行する平面６３Ａｇ１を連接している。そして、この平面部分に貼り付けられている弾性シール部材３２の側端に、ブレード板金１６ａに支持されている弾性ブレード１６ｃの長手方向端部が重なっている。また弾性ブレード１６ｃと平行に設けられており、現像ローラ１２の周面に接近して設けられているシール部材３４は、現像フレーム６３Ａのシール取付面６３ｒに貼り付けられている（図２８参照）。
【０１４５】
図２９に示すように前記塗布ローラ１９の軸取り付け部６３ｑの現像フレーム６３Ａの長手方向外側には塗布ローラ１９の回転軸１９ａを中心とする円弧形断面の凹部６３ｓが設けられ、この凹部６３ｓに嵌合すると共にこの回転軸１９ａに嵌合するフエルト製の円板状の軸封パッキン３５が設けられている。このパッキン３５は前記現像フレーム６３Ａの凹部６３ｓへ進入するサイドカバー６３Ｄ、カップリングフレーム６３Ｆに夫々設けられた円筒形突出部６３Ｄｆ，６３Ｆｆ（図３５、図４５参照）により軸取り付け部６３ｑの軸方向の外側面に軽く圧接されることにより、軸封作用をなす。上述の構成は長手方向の両端部で同様である。
【０１４６】
上述はマゼンタ、シアン、イエロー各色のトナーを収納した現像カートリッジＤの現像フレーム６３Ａの構成であるがブラックトナーを収容した現像カートリッジＤｂでは塗布ローラを有しないので上述の塗布ローラを収容する空間、塗布ローラの回転軸の取り付け部、この取り付け部に取り付けたこの回転軸の軸封のための空間等のための形状は備わっておらず図５に示すように現像ローラ１２の下方の現像フレーム６３Ａの底面６３ｔは感光体ドラム１に対設した現像作用位置において現像ローラ１２の下方をとおるほぼ水平面となっている。
【０１４７】
図２７に示すように、現像フレーム６３Ａの長手方向の一方の端面には、カップリングフレーム６３Ｆを取り付ける。また、他方の端面にはトナーシール引出し側のサイドカバー６３Ｅを取り付けるための夫々の座面６３Ａｋ１，６３Ａｋ２が設けられている。この両座面は同一形状である。この両座面６３ｋ１，６３ｋ２には夫々めねじ６３Ａｍ及び位置決め穴６３Ａｎ，６３Ａｐが設けられている。穴６３Ａｎは丸穴であり、穴６３Ａｐは両穴６３Ａｎ，６３Ａｐを結ぶ線の方向に長い長穴である。
【０１４８】
上述のように現像フレームを構成したので従来構成に比べて現像カートリッジを小型化することができる。あるいは、同じ大きさの現像カートリッジでより多くのトナーを収納することができる。
【０１４９】
（トナーフレーム）
図４に示すようにトナーフレーム６３Ｂの現像部材支持フレーム６３Ａとの結合面６３ｎと、トナーフレーム６３Ｂのカバーフレーム６３Ｃとの結合面６３ｐはほぼ直交した平面に夫々ある。
【０１５０】
図３０（カバーフレーム側開口からとったトナーフレームの斜視図）、図３１に示すようにトナーフレーム６３Ｂの長手方向の一端の端板６３Ｂｄに設けた軸受部６３Ｂｅにギア２３ｄ一体のジャーナル３３が回転自在に支持され、トナーフレーム６３Ｂの長手方向他端に設けた円筒形のトナー補給口６３Ｂｐの中心の軸受部６３Ｂｅにはジャーナル３６が回転自在に支持されている。この軸受部６３Ｂｅは軸受部６３Ｂｅから放射状のアーム６３Ｂｓでもってトナー補給口６３Ｂｐに結ばれトナーフレーム６３Ｂと一体成形されている。両ジャーナル３３，３６には、軸トナー１５ｃに設けられたトナー送り部材（トナー攪拌部材ともいう）１５が固定されている。トナー送り部材１５はトナーフレーム６３Ｂの長手方向に沿ってそのほぼ全長にわたって設けられており、両端部は現像領域外にある。トナー補給口６３Ｂｐに嵌入固定されたトナーキャップ３７と同じ側において現像領域外には図４に示すように第一、第二の開口６３Ｂｆ，６３Ｂｇが設けられている。この第一、第二の開口６３Ｂｆ，６３Ｂｇには夫々例えば合成樹脂製の透光性部材８１，８２が嵌入固定されている。この第一の開口６３Ｂｆから入射された光はトナーフレーム６３Ｂ内にトナーが少ない場合には第二の開口６３Ｂｇを通り抜けることができるようになっている。なお図４、図５、図３２に示すように前記第二の開口６３Ｂｇからの出射光が通り抜けるための開口６４ｋがシャッター６４に設けてある。
【０１５１】
上記透光性部材８１，８２には夫々、トナー送り部材１５の中心側の板金１５ｂに設けた合成樹脂製の清掃部としての弾性ブレード１５ａが撓むんで摺擦する円筒面８１ａ、及び平坦面８２ａを弾性ブレード１５ａの運動の軌跡にくい込む形でトナーフレーム６３Ｂ内に設けてある。そして、円筒面８１ａはトナー送り部材１５の回転中心を中心とする円筒面であり、平坦面８２ａは該中心から平坦面８２ａの中央へ下した垂線と平坦面８２ａが直交する平面である。
【０１５２】
前述した通り、本実施の形態の現像カートリッジＤは、電子写真感光体に形成された潜像を現像するための現像部材（例えば現像ローラ１２）と電子写真画像形成装置本体３０に装着された際に、装置本体から前記現像部材（１２）を回転させるための駆動力を受けるための駆動力受け部材２２と、ここで前記駆動力受け部材は前記現像部材（例えば、現像ローラ１２）の長手方向の一端側に設けられているカートリッジフレーム部分（例えば、サイドカバー６３Ｄ）から露出して設けられている、電子写真画像形成装置本体３０に装着された際に、装置本体から前記現像部材（１２）に印加する現像バイアスを受けるための現像バイアス接点４１と、ここで前記現像バイアス接点４１は現像部材（１２）の長手方向の前記一端側に設けられている前記カートリッジフレーム部分（６３Ｄ）から露出して設けられている、前記現像部材（１２）によって現像に用いられるトナーを収納するためのトナー収納部６３ａと、前記現像部材（１２）の長手方向の他端側であって前記カートリッジフレーム６３の前記トナー収納部６３ａに対応する部分に設けられた第一の透光性部材８１と、第二の透光性部材８２と、ここで、前記第一の透光性部材８１と、第二の透光性部材８２は前記トナー収納部６３ａに収納されているトナーの残量が所定の量よりも少なくなったことを検出するためのものであり、現像カートリッジが装置本体３０に装着された際に、前記第一の透光性部材８１は装置本体３０から発せられた光を前記トナー収納部６３ａ内へ導くためのもの、また、前記第二の透光性部材８２は前記トナー収納部６３ａ内を通過した光を装置本体３０で受光するためのものである。
【０１５３】
また、前記現像部材としての現像ローラ１２の長手方向において、前記第一の透光性部材８１と第二の透光性部材は、前記現像ローラ１２が現像作用を行う現像作用領域よりも外側に配置されている。
【０１５４】
更に、前記現像カートリッジＤは前記現像部材が前記カートリッジフレームから露出している部分を覆うシャッター６４を有している。そして、前記シャッターは開放位置に位置した際に、前記第二の透光性部材と対向する位置に開口６４ｋを有している。
【０１５５】
また、前記第一の透光性部材は前記トナー収納部６３ａの内側に向って凸形状である。
【０１５６】
また、前記第二の透光性部材は平坦形状である。
【０１５７】
また、前記現像カートリッジＤは、装置本体３０に装着された際に、装置本体３０に設けられた押圧部材（例えば、付勢手段２５の圧縮コイルばね１０ｂ）によって押圧される被押圧部６３ｕを有する。
【０１５８】
更に前記現像カートリッジＤは、前記第一の透光性部材と第二の透光性部材の内面に付着したトナーを除去するための清掃部（例えば、弾性ブレード１５ａの端部）を有する。
【０１５９】
更に前記現像カートリッジＤは、前記トナー収納部６３ａ内に収納されているトナーを前記現像部材（１２）の設けられた方向へ送るためのトナー送り部材１５を有する、ここで前記トナー送り部材１５は前記トナー収納部６３ａの長手方向に沿って設けられている。
【０１６０】
そして前記清掃部（１５ａ２）は、前記トナー送り部材１５の長手方向一端に設けられている。そして前記清掃部（１５ａ２）は前記トナー送り部材１５に設けられている軸１５ｃと同じ軸に設けられている。そして前記清掃部（１５ａ２）と前記トナー送り部材１５は一体に回転する。
【０１６１】
また、前記軸１５ｃと交差する方向において、前記清掃部（１５ａ２）の長さは前記トナー送り部材１５の長さよりも長い。これによって、透光性部材８１，８２の内面に付着したトナーを確実に除去することができる。
【０１６２】
このように本実施の形態の現像カートリッジでは、駆動力受け部材２２と現像バイアス接点４１の設けられているのとは、現像ローラ１２の長手方向の他端側に、透光性部材８１，８２を配置している。したがって、現像カートリッジの内部の空間を有効に活用することができる。また、装置本体３０内のスペースを有効に活用することができる。なぜならば、装置本体３０内において、駆動伝達部材２４、及び、現像バイアス接点ピン４２の設けられたのとは反対側に発光部材８３、及び、受光部材８６を配置できるからである。また、透光性部材８１，８２を現像ローラ１２の長手方向の他端側に設けたので、光ガイドの設置長さを短かくすることができる。
【０１６３】
また、本実施形態において、現像ローラ１２が現像作用を行う現像作用領域とは、現像ローラ１２の一端側と他端側に、その周面に接触して設けられた端部シール１６ｄ１，１６ｄ２の間の領域であって、ローラ周面にトナーが付着している領域Ｘである（図８参照）。尚、端部シール１６ｄ１，１６ｄ２は、トナーが現像ローラ１２の長手方向外側へ漏れ出るのを防止するものである。また、本願明細書において、現像部材（例えば、現像ローラ）が現像作用を行う現像作用領域Ｘとは、現像部材の長手方向において、電子写真感光体に形成された静電潜像を現像するために寄与するトナーが付着している領域Ｘである。
【０１６４】
また本実施の形態において、トナー送り部材１５と清掃部としての弾性ブレード（１５ａ２）は、樹脂製であって一体成形されている。そして、トナー送り部材１５と弾性ブレード（１５ａ２）は同じ軸１５ｃに取り付けられており一体に回転する。したがって、トナー送り部材１５と弾性ブレード（１５ａ２）を同じ駆動機構でもって回転させることができる。
【０１６５】
尚、トナー送り部材と清掃部を別体に構成して、両者を別々の軸に取り付けても良い。この場合には、両者に各々駆動力を伝達する。
【０１６６】
また、本実施の形態においては、第一、第二の透光性部材を現像ローラの長手方向において、現像作用領域よりも外側に配置しているから、清掃部の回転が現像作用に悪影響を及ぼすことが無い。
【０１６７】
（カップリングフレーム）
カバーフレーム６３Ｃは既に述べたように現像部材支持フレーム６３Ａとトナーフレーム６３Ｂを結合するフランジ６３Ａａ，６３Ｂａがトナーシール面２７ａよりも現像ローラ１２側へオフセットした形状であるため、図４に示すようにカバーフレーム６３Ｃの前壁６３Ｃｄを現像フレーム６３Ａ側へ寄せることができ、後壁６３Ｃｅと前壁６３Ｃｄ間の距離を大きくすることができる。従って、トナーを収納するトナーフレーム６３Ｂとカバーフレーム６３Ｃを併せた内容積を大きくすることができた。
【０１６８】
（カップリングフレーム）
斜視図の図３４で示すように現像フレーム６３Ａの駆動力受け側の端部の座面６３ｋ１（図３３参照）にはカップリングフレーム６３Ｆが小ねじ用穴６３Ｆａを挿通して不図示の小ねじを現像部材支持フレーム６３Ａの長手方向端面のめねじ６３Ａｍにねじ込むことによって固定される。これによって、現像部材支持フレーム６３Ａの駆動力受け側の座面６３Ａｋ１と図４５に示すカップリングフレーム６３Ｆの平面の取り付け面６３Ｆｋが当接する。このカップリングフレーム６３Ｆの取り付け面６３Ｆｋの形状は現像フレーム６３Ａの座面６３Ａｋ１とほぼ同一形状であり、密接すると両面は合致する。この取り付け面６３Ｆｋには現像フレーム６３Ａの座面６３Ａｋ１の位置決め穴６３Ａｎ，６３Ａｐに夫々嵌合する長手方向の円筒形ダボ６３Ｆｇが設けられている。
【０１６９】
図３４に示すように現像ローラ１２の回転軸１２ｃの一端はカップリングフレーム６３Ｆに嵌入した現像ローラ軸受３８に支持されている。駆動力受け部材２２を支持する突出軸６３Ｆｂがカップリングフレーム６３Ｆに一体成形されている。トナー送り部材１５を支持するジャーナル３３に一体に設けたギア２３ｄと噛合う小ギア２３ｃ２を有する段付アイドラギア２３ｃを回転自在に支持する突出軸６３Ｆｃが一体に設けられている（図２２、図４４参照）。また塗布ローラ１９の回転軸１９ａが挿通する穴６３Ｆｄが設けられている。このカップリングフレーム６３Ｆにはサイドカバー６３Ｄを取り付けるためのめねじ６３Ｆｅが設けられている。
【０１７０】
次に現像ローラ１２の他端側の支持及びトナーシール２７の引出し口について述べる。
【０１７１】
（反駆動側のサイドカバー）
図３５に示すように駆動側とは反対側に設けられたサイドカバー６３Ｅは現像フレーム６３Ａ及びトナーフレーム６３Ｂの長手方向端面を覆う形状をしている。そして現像フレーム６３Ａの長手方向の端面のサイドカバー取り付け用座面６３Ａｋ２に接する平面の取付面６３Ｅａが設けられ、この取付面６３Ｅａには現像フレーム６３Ａの座面６３Ａｋ２の位置決め穴６３Ａｎ，６３Ａｐに夫々嵌合する長手方向の円筒形ダボ６３Ｅｂが設けられている。また、現像フレーム６３Ａのめねじ６３Ａｍと一致する位置に不図示の小ねじを外側から挿通して、前記めねじ６３Ａｍにねじ込み、サイドカバー６３Ｅを現像フレーム６３Ａに固定する小ねじ用穴６３Ｅｃが長手方向に貫通している。このようなサイドカバー６３Ｅを現像フレーム６３Ａに取り付けた状態で現像ローラ１２の回転軸１２ｃを回転自在に支持する現像ローラ軸受３９がサイドカバー６３Ｅの穴に長手方向に嵌入している。
【０１７２】
前記取付面６３Ｅａからは長手方向へ円筒形突出部６３Ｅｆが突出し、この突部６３Ｅｆ先端で先に述べた塗布ローラ１９の回転軸１９ａの軸封パッキン３５を現像フレーム６３Ａの塗布ローラ１９の回転軸１９ａの軸取り付け部６３Ａｑを押圧するようになっている。また現像ローラ１２の回転軸１２ｃの突出端部外周を覆うカバー部６３Ｅｇが一体に設けられている。このカバー部６４Ｅｇは図２９（塗布ローラ端を示す斜視図）に示す弾性シール部材３２のシール面と同じ内側面６３Ｅｈを有し、取付状態においてこのシール面とつらなるほぼ同一面となる。
【０１７３】
このサイドカバー６３Ｅにはトナーシール２７を現像カートリッジＤの外部へ引き出すためにトナーシール２７の端部が挿通するトナーシール開口６３Ｅｉが長手方向に貫通している。このトナーシール開口６３Ｅｉはトナーシール２７の幅方向に長い方形でトナーシール引き抜き把手７３（図９参照）の幅よりもこのトナーシール開口６３Ｅｉの図３５における上下方向の辺の長さは大きい。
【０１７４】
図３１はトナー供給開口部６３Ｂｃを含むトナーフレーム６３Ｂの水平断面図である。トナーシール２７はトナー供給開口部６３Ｂｃの縁の全周に張り付けた上、折り返し部２７ｂで折り返し、トナー供給開口部６３Ｂｃの縁の全周に張り付けたトナーシール部分に重ねて端部２７ｃをトナーシール引き抜き把手７３に接着してある。このトナーシール２７の端部２７ｃ及びトナーシール引き抜き把手７３はトナーシール開口６３Ｅｉ内に存在すると共に現像カートリッジＤ外へ出されている。
【０１７５】
トナーシール開口６３Ｅｉの内側には、図３１に示すように、トナーシール導出斜面６３Ｅｊが設けられている。この斜面６３Ｅｊは平面であって、トナーフレーム６３Ｂの設けられた側へ向って傾いている。したがって、トナーシール２７は、図３１に示す通り、この斜面６３Ｅｊにガイドされて、貼付されたトナーフレーム６３Ｂの部分から斜め上方（トナー供給口６３Ｂｐの設けられた側）へ引き出される。そしてサイドカバー６３Ｅは、この斜面６３Ｅｊに続いて引き抜き方向外側に、トナーフレーム６３Ｂのトナーシール２７の貼り付け面６３Ｂと平行な平面６３Ｅｋを有する。なお、このトナーシール導出斜面６３Ｅｊは平面に限らず、曲面であってもよい。
【０１７６】
トナーシール引き抜き把手７３を外方へ引くと、トナーシール２７はトナーシール引き抜き把手７３に固定された端部からトナーシール開口６３Ｅｉを通じて外部へ引き出され、折り返し部２７ｂが図３１において左行し、折り返し部２７ｂ側からトナーシール２７はトナー供給開口部６３Ｂｃの縁から剥がされる。トナーシール２７を全部引き出すとことによってトナー供給開口部６３Ｂｃは全開する。これによって、トナーフレーム６３Ｂ中のトナーは現像部材支持フレーム６３Ａの現像室６３Ａｔへトナーが供給可能となる。このトナーシール２７が引き出される際、トナーシール２７はトナーフレーム６３Ｂの端部シール３１ａで密封されている角６３Ｂｍと、サイドカバー６３Ｅのトナーシール開口６３Ｅｉの内壁であるトナーシール導出斜面６３Ｅｊと平面６３Ｅｋとでなす角部６３Ｅｍとの間でトナーシール２７が張設せられるので、トナーシール供給開口部６３Ｂｃ前面で折り返されているトナーシール２７はトナーシール供給用開口部６３Ｂｃの縁のトナーシール面に沿って引っ張られて、折り返し部２７ｂから順次剥がされ、剥がされる部分は一定方向であるからトナーシール２７の折り返し部から端部シール３１ａを通過するまで一定方向に引かれ、サイドカバー６３Ｅのトナーシール開口６３Ｅｉにより、使用者がトナーシール２７を引く方向を規制することができ、異常な方向にトナーシール２７を引いて端部シール３１ａがちぎれたり、トナーが洩れるすることを防ぐことができる。
【０１７７】
前述実施の形態は電子写真感光体に形成された潜像を現像するための現像ローラ１２と、
前記現像ローラ１２によって現像に用いられるトナーを収納するためのトナー収納部６３ａと、ここで前記トナー収納部６３ａは収納しているトナーを前記現像ローラ１２へ供給するためのトナー供給開口６３Ｂｃを有する、
前記トナー供給開口６３Ｂｃを封止するためのトナーシール２７であって、前記現像カートリッジＤを使用するのに先立って引き抜かれることによって前記トナー供給開口６３Ｂｃを開封する、そして、前記トナー収納部６３ａに収納されているトナーが前記現像ローラ１２へ供給されるのを可能とする、
を有して、電子写真感光体１に形成された潜像を現像するための、電子写真画像形成装置本体３０に着脱可能な現像カートリッジに用いられる現像カートリッジサイドカバー６３Ｅであって、
前記現像ローラ１２の一端側の軸１２ｃを回転可能に支持するための軸支持部（例えば、現像ローラ軸受３９）と、
前記トナー収納部６３ａの有するトナー供給開口６３Ｂｃ，６３Ａｅを開封する際に、前記トナーシール２７を外側へ導くためのトナーシール開口６３Ｅｉと、
を有する現像カートリッジサイドカバーである。
【０１７８】
更に、前記現像カートリッジサイドカバーは、前記現像ローラ１２の周面にトナーを付着させるための塗布ローラ１９の軸１９ａの一端を嵌合させるための嵌合部（例えば、円筒形突出部６３Ｅｆ）を有する。
【０１７９】
更に、前記現像カートリッジサイドカバー６３Ｅは、前記現像カートリッジＤが装置本体３０に装着された際に、前記装置本体３０に位置決めされるために装置本体３０に設けられた弾性部材（例えば、圧縮コイルばね１１ｄ）から付勢力を受けるための付勢力受け部（例えば、ばね受け面６３Ｋ２）と、前記付勢力受け部が受けた付勢力によって現像カートリッジが回転するのを規制するための当接部（例えば、ボス６３ｍ２）と、を有する。
【０１８０】
更に、前記現像カートリッジサイドカバー６３Ｅは、前記現像カートリッジＤが装置本体３０に装着された際に回転中心となる軸（例えば、突出部６３ｇ）を取り付けるための軸取り付け部（例えば、穴６３Ｅｋ）を有する。
【０１８１】
尚、前記現像カートリッジサイドカバー６３Ｅはプラスチック製の一体成形物である。
【０１８２】
また、前記トナーシール２７の長手方向一端側に設けられた把持部分は、前記トナーシール２７の長手方向一端側に取り付けられたプラスチック製のグリップ（例えば、把手７３）である。
【０１８３】
更に、前記現像カートリッジサイドカバー６３Ｅは、前記トナー収納部６３ａにトナーを充填するためのトナー充填開口（例えば、トナー補給口６３Ｂｐ）を封止するために前記トナー充填開口に取り付けられたトナーキャップ３７をカバーするカバー部分６３Ｅｒを有する。
【０１８４】
また、サイドカバー６３Ｅの取付は次の工程を有する。
【０１８５】
電子写真画像形成装置本体３０に着脱可能であって、電子写真感光体１に形成された潜像を現像するための現像カートリッジＤに用いられる現像カートリッジサイドカバー６３Ｅの取り付け方法において、
（ａ）電子写真感光体１に形成された潜像を現像するための現像ローラ１２を装着するための現像ローラ装着部（例えば、凹部６３ｓ）を有する現像フレーム６３Ａを準備する現像フレーム準備工程と、
（ｂ）前記現像ローラ１２によって現像に用いられるトナーを収納するためのトナー収納部６３ａを有するトナーフレーム６３Ｂを準備するトナーフレーム準備工程と、ここで前記トナー収納部６３ａは収納しているトナーを前記現像ローラ１２へ供給するためのトナー供給開口６３Ｂｃ，６３Ａｅを有する、
（ｃ）前記現像ローラの１２一端側の軸を回転可能に支持するための軸支持部（例えば、現像ローラ軸受３９）と、
前記トナー収納部６３ａの有するトナー供給開口６３Ｂｃ，６３Ａｅを開封する際に把持するための、前記トナーシール２７を外側へ導くためのトナーシール開口６３Ｅｉと、
を有する現像カートリッジサイドカバー６３Ｅを準備する現像カートリッジサイドカバー準備工程と、
（ｄ）前記現像フレーム６３Ａと前記トナーフレーム６３Ｂとを結合する結合工程と、
（ｅ）前記結合工程によって結合された前記現像フレーム６３Ａと前記トナーフレーム６３Ｂの長手方向の一端側に、前記トナーシール２７を前記トナーシール開口６３Ｅｉから外側へ導いた状態で、前記現像カートリッジサイドカバー６３Ｅを取り付けるサイドカバー取り付け工程と、
を有する現像カートリッジサイドカバーの取り付け方法である。
【０１８６】
また、前記サイドカバー取り付け工程において、前記現像カートリッジサイドカバー６３Ｅは前記現像フレーム６３Ａにネジによって固定される。
【０１８７】
また、前記結合工程において、前記現像フレーム６３Ａと前記トナーフレーム６３Ｂは超音波溶着によって結合される。
【０１８８】
あるいは、前記結合工程において、前記現像フレーム６３Ａと前記トナーフレーム６３Ｂはスナップフィット及び／或はスナップクリップによって結合されるこ。
【０１８９】
現像ローラ１２の軸受３９を嵌入する軸支持部材とサイドカバー６３Ｅと一体で形成することにより部品点数を減らすことができる。
【０１９０】
（トナー残量検知）
既に図４について述べたようにトナーフレーム６３Ｂには第一、第二の開口６３Ｂｆ，６３Ｂｇを設け、透光性部材８１，８２でこれらの開口６３Ｂｆ，６３Ｂｇを密閉してある。またシャッター６４が現像ローラ１２を露出するように開いた状態において、シャッター６４には前記透光性部材８１，８２を結ぶ直線上に開口６４ｋを設けてある。
【０１９１】
上述の第一、第二の開口６３Ｂｆ，６３Ｂｇは現像ローラ１２の長手方向において、現像ローラ１２の現像作用領域よりも外側に配置されている。カートリッジフレーム６３のカバーフレーム６３Ｃには長手方向の中央部に把手６３ｅが設けてある。この把手６３ｅはカバーフレーム６３Ｃの長手方向中央部をトナーを収納する内部側へ向って凹部として設けることにより形成したもので、現像フレーム６３Ａに近い側のカバーフレーム６３Ｃのフランジ６３Ｃｂ上に長手方向に短かい凹部６３ｅ１を設け、現像フレーム６３Ａから遠い側のカバーフレーム６３Ｃ背部に長手方向に前記凹部６３ｅ１よりも長い凹部６３ｅ２を設けてあって、これら凹部６３ｅ１，６３ｅ２によって把手６３ｅを形成してある。
【０１９２】
現像カートリッジＤの長手方向を軸として、現像カートリッジＤ回りに関してみると、前述の第一の開口６３Ｂｆは把手６３ｅに近い側に配置されている。また第二の開口６３Ｂｇは把手６３ｅから見て第一の開口６３Ｂｆよりも遠い側に配置されている。
【０１９３】
第一の開口６３Ｂｆを密閉してある透光性部材８１はトナー収納部６３ａ側へ向って突出しており突形状であり、第二の開口６３Ｂｇに嵌め込まれている透光性部材８２は平坦形状である。これらの樹脂製品は例えばアクリル製品である。
【０１９４】
図３６はロータリーユニット１１に現像カートリッジＤが装着された位置にある状態を示す。装置本体３０側には図３６に示すように、ロータリーユニット１１の軸方向に向って装置本体３０に例えば発光ダイオードのような発光部材８３及び例えばＣＣＤのような受光部材８６が配設されている。一方、ロータリーユニット１１のフランジ１１ｆを軸方向に貫通して入力光ガイド部材８４、出力光ガイド部材８５が壁面１１ｅから突出してこのフランジ１１ｆに固定されている。上述の発光部材８３、受光部材８６は現像カートリッジＤを装置本体３０に着脱する位置にロータリーユニット１１が回転して、着脱位置に現像カートリッジＤが位置する状態において夫々光ガイド部材８４，８５の入射面８４ａ、出射面８５ａと対向している。
【０１９５】
また、現像カートリッジＤをロータリーユニット１１に装着した状態では入力光ガイド部材８４の出射面８４ｃはシャッター６４の開口６４ｋと対向している。この出射面８４ｃから出る光はシャッター６４の開口６４ｋ、第一の開口６３Ｂｆ、第二の開口６３Ｂｇをとおるように出射面８４ｃの向が定められている。
【０１９６】
更に、現像カートリッジＤをロータリーユニット１１に装着した状態では出力光ガイド部材８５の入射面８５ｃは前記入力光ガイド部材８４の出射面８４ｃから出た光がシャッター６４の開口６４ｋ、トナーフレーム６３Ｂの第一の開口６３Ｂｆ、第二の開口６３Ｂｇをとおりぬけて到達して進入する位置に設けられている。
【０１９７】
上述のように構成されているのでカートリッジフレーム６３内のトナー収納部６３ａにトナーがなくなると、今まで発光部材８３から出射された入力光ガイド部材８４を通じて第一の開口６３Ｂｆよりトナーフレーム６３Ｂに入射する光がトナーフレーム６３Ｂ内のトナー収納部６３ａ内のトナーで遮断されていたのが、装置本体３０に設けられた発光部材８３から出射された光は、ロータリーユニット１１に設けられた入力光ガイド部材８４の入射面８４ａに入射して入力光ガイド部材８４中を進み、その反射面８４ｂで反射され、出射面８４ｃより出射され、シャッター６４に設けた開口６４ｋを通じて現像カートリッジＤの透光部材８１、トナーフレーム６３Ｂ内のトナー収納部６３ａ、透光部材８２を通過して、ロータリーユニット１１に設けられた出力光ガイド部材８５の入射面８５ｃに入射し、反射面８５ｂで反射され、出力光ガイド部材８５中を進みその出射面８５ａより出射され、装置本体３０の受光部材８６に受光される。この受光部材８６は例えばＣＣＤであるから、ここで光電変換された信号により装置本体３０に設けた図示されない制御装置に設けたトナー有無検知回路はトナーなしを判断して表示部に表示する。
【０１９８】
上述の光ガイド部材８４，８５はアクリル樹脂製である。
【０１９９】
なお、前記発光部材８５、受光部材８６は一つの基板８７に取り付けられ一体化することにより、組立分解を容易にすることができる。
【０２００】
上述の入力光ガイド部材８４、出力光ガイド部材８５は一つのロータリーユニット１１の各カートリッジ装着部１４ｙ，１４ｍ，１４ｃ，１４ｂに夫々設けられている。
【０２０１】
図４に示すように上述の透光性部材８１はトナー送り部材１５の支持軸１５ｃであるジャーナル３３，３６の中心線（トナー送り部材１５の回転中心）を中心とする円筒面８１ａを有してトナー収納部６３ａ内へ向って突出しており、第一の開口６３Ｂｆに嵌め込んだ上囲繞して設けたフランジ８１ｂを第一の開口６３Ｂｆの縁に接して溶着または接着してある。このようにして透光性部材８１に凹部８１ｃを備えているため、現像カートリッジＤを取り扱う際透光性部材８１の光透過部を汚したり、傷つけたりすることがない。
【０２０２】
また透光性部材８２はトナー送り部材１５の支持軸１５ｃ（ジャーナル３３及び３６）の中心から下した法線と直角に交叉する平坦面８２ａを有し、開口６３Ｂｇに嵌め込んだ上囲繞して設けたフランジ８２ｂを開口６３Ｂｇの縁に接して溶着または接着している。このように透過性部材８２は浅い凹部８２ｃを備えているため、現像カートリッジＤを取り扱う際、透光性部材８２の透過面を汚したり、傷つけたりすることがない。前記トナー送り部材１５の回転中心から透光性部材８１，８２のトナー収納部６３ａに面する円筒面８１ａ、平坦面８２ａに下した垂線の長さよりもトナー送り部材１５の半径は大きい。トナーフレーム６３Ｂはトナー送り部材１５の弾性ブレード１５ａが自由状態でわずかに曲げられて摺動する円弧面６３Ｂｔ等の内周面を有する。この円弧面６３Ｂｔの半径は透光性部材８１、円筒面８１ａ、透光性部材８２の平坦面８２ａにトナー送り部材１５の回転中心から下した垂線の長さよりも大きい。
【０２０３】
図３０、図３１に示すようにトナー送り部材１５は夫々軸方向で対向するジャーナル３３，３６の端面に回転中心をとおる軸方向のスリットを設け、このスリットに両端を差し込んでブレード支持板金１５ｂを支持する。このスリットに差し込んだブレード支持板金１５ｂの長手方向の先端１５ｂ１が丁度嵌合する穴を夫々ジャーナル３３，３６の軸心に設けてある。このブレード支持板金１５ｂには長手方向に長穴１５ｂ２が設けられ、両端に長手方向の長溝１５ｂ３が切り込まれている。
【０２０４】
このような長穴１５ｂ２、長溝１５ｂ３を設けてあるため、トナー送り部材１５が回転する際、トナー収納部６３ａのトナーを持ち上げて、トナー送り部材１５が水平に近ずいて現像室６３Ａｔへ送り出す場合、この送り出されるトナーはブレード支持板金１５ｂの長穴１５ｂ２、長溝１５ｂ３からトナー収納部６３ａへ抜けて戻ってしまうので現像室６３Ａｔへ過剰にトナーが送り込まれることがない。また、トナー送り部材１５の負荷を小さくすることができ、現像カートリッジＤの駆動動力を少なくできる。
【０２０５】
ブレード支持板金１５ｂには弾性ブレード１５ａが接着または溶着して一体的に固定されている。透光性部材８１，８２はトナーフレーム６３Ｂの円弧面６３Ｂｔよりもトナー収納部６３ａ内へ少し突出している。一方弾性ブレード１５ａの先端はトナー送り部材１５の回転中心と平行して全長にわたり、この回転中心から同一半径上にあるから弾性ブレード１５ａは透光性部材８１の円筒面８１ａ、透光性部材８２の平坦面８２ａで長手方向の他の部分よりも大きくたわむ。これによって、円筒面８１ａ、平坦面８２ａに付着するトナーは確実にぬぐいとられる。これによってトナー収納部６３ａ中のトナーの有無の検知を正確なものとする。
【０２０６】
このようにトナー収納部６３ａ内のトナーの有無を正確に検知するために弾性ブレード１５ａ（トナー攪拌部材）の長手方向の一部をより大きく撓ませて、秀光性部材８１、８２の内面に付着するトナーをより確実に除去している。そして現像に影響しないように、透光性部材８１，８２の位置はトナー収納部６３ａの長手方向の端部にあり、この位置は現像作用領域外にあるから、弾性ブレード１５ａの長手方向端部における他の部分とは異なる均一でないトナーの動きの影響が画像領域に及ぼされない。また、装置本体３０のロータリーユニット１１に有する入出射光ガイド部材８４，８５が短かくなるので、光量の減衰が少なく発光部材８３、受光部材８６を小型低コストで構成できる。
【０２０７】
弾性ブレード１５ａによるトナー攪拌の長手方向における不均一性の影響が画像領域へ影響しないようにするため、透光性部材８１，８２をトナー収納部６３ａの端部に設けたが更にトナー攪拌の不均一が画像領域へ影響しない構成を図３０、図３１に示す。これらの図に示すように画像領域外で弾性ブレード１５ａの先端から半径方向へ切り離し部１５ａ１を設けてある。この切り離し部１５ａ１は幅のあるスリット、または幅のない切目である。この切り離し部１５ａ１は長手方向で透光性部材８１，８２の外近くで且つトナーフレーム６３Ｂの中央寄りである。
【０２０８】
この切り離し部１５ａ１があるため、透光性部材８１，８２を清掃するための弾性ブレード１５ａの透光性部材清掃部１５ａ２が、透光性部材８１，８２を通過する際、大きくたわんで不均一な動きとなっても、切り離し部１５ａ１を越えて現像作用領域の弾性ブレード１５ａの挙動に影響を及ぼさない。
【０２０９】
このトナー送り部材１５は図４において反時計方向に回転してトナー供給開口部６３Ｂｃへ向けてトナーを持ち上げてトナー供給開口部６３Ｂｃを通じて現像室６３Ａｔ内へトナーを送り出す。
【０２１０】
現像作用時に回転する塗布ローラ１９でもって現像ローラ１２にトナーを塗り付け、現像ブレード１６で現像ローラ１２上のトナーの層厚を規制すると共に摩擦帯電電荷を与える。現像ローラ１２に付着したトナーは現像バイアスを加えられて感光体ドラム１上の潜像に付与され、感光体ドラム１上には可視像が形成される。なお塗布ローラ１９、現像ブレード１６は現像ローラ１２と同電位とされる。
【０２１１】
このような現像を繰り返すと、トナー収納部６３ａ中のトナーは減少する。トナーが減少して行くとき、トナー送り部材１５の弾性ブレード１５ａは反時計方向に回転する際に透光性部材８１，８２のトナー収納部６３ａに面する内面である円筒面８１ａ、平坦面８２ａと摺擦することによって円筒面８１ａ、平坦面８２ａに付着するトナーを除去する。トナー収納部６３ａのトナーが空に近ずくと、平坦面８２ａ上にトナーは残るが円筒面８１ａは弾性ブレード１５ａで清掃されてトナーは再び付着しない。一方平坦面８２ａ上のトナーが弾性ブレード１５ａにより清掃されてもくずれてくるトナーが平坦面８２ａを覆うが、トナーが少なくなると平坦面８２ａにトナーが堆積する時間が堆積しない時間よりも長くなって行く。このとき発光部材８３から光は入力光ガイド部材８４、透光性部材８１、トナー収納部６３ａ、透光性部材８２、シャッター６４の開口６４ｋ、出力光ガイド部材８５を通じて受光部材８７を照射する時間の長さまたは割合が一定以上となると、装置本体３０の表示部にはトナーなしが表示される。
【０２１２】
上述のようにトナーフレームの長手方向の端部にトナー有無検知を行う開口を設けたため、この開口を密閉する透光性部材の内面を拭き取る攪拌羽根の均一でない動きが生じるが、この動きの影響はトナーフレームのトナー収納部の長手方向端部に限定され、画像領域に影響を及ぼさない。
【０２１３】
トナーフレームの長手方向端部にトナー有無検知を行う開口を設けたため、この開口と発光部材、受光部材との距離を短くでき、光ガイド部材を短かくできる。
【０２１４】
なお、光ガイド部材としては上述のアクリル製硬質のものに限られず、光ファィバーを用いてもよい。
【０２１５】
（現像カートリッジの外壁へのトナー付着防止）
図８に示すようにシャッター６４は両端の長手方向に直角な平板扇形状の両側壁の一方の側壁６４ｅの頂点の部分に設けた丸穴６４ａが現像カートリッジＤの長手方向一端側に設けた突出部６３ｃに回転自在に嵌合する。また、他方の側壁６４ｆの丸穴６４ａが、現像カートリッジＤの長手方向他端側に取り付けた突出部６３ｇに回転自在に嵌合している。シャッター６４は上記側壁６４ｅ，６４ｆ間はカバー部６４ｇとなっている。
【０２１６】
シャッター６４のカバー部６４ｇはサイドカバー６３Ｄと一体の突出部６３ｃ及びサイドカバー６３Ｅに取り付けた突出部６３ｇを中心とする円弧形断面でもって長手方向に延在する。シャッター６４は装置本体３０に装着状態では開き、図６に示すように現像ローラ１２等が見える。装置本体３０から取り外した状態ではシャッター６４は図７に示すように現像ローラ１２等を覆うように閉じている。これらシャッター６４の開閉は現像カートリッジＤをロータリーユニット１１へ着脱する操作でもって、シャッター６４とロータリーユニット１１のカートリッジ装着部１４が連動して行われる。上記現像ローラ１２等を露出させる開口部６３ｂは図４に示す現像ブレード１６と、現像部材支持フレーム６３Ａの舌部６３Ａｕと、図６に示すサイドカバー６３Ｄ，６３Ｅで画された内側の領域となっている。
【０２１７】
図４の一部拡大図の図３７に示すように全体としては断面ほぼＬ字形の現像部材支持フレーム６３Ａの舌部６３Ａｕ上面６３Ａｕ１は現像作用位置ではほぼ水平であり、その前面６３Ａｕ２は上記上面に対して舌部６３Ａｕが鋭角となるように斜設してある。この舌部前面６３Ａｕ２を含む平面は開いたシャッター６４の開き端（戸先）６４ｈを横切っており、開き端６４ｈにおけるシャッタ内面６４ｉよりも外方にある。
【０２１８】
現像部材支持フレーム６３Ａの舌部前面６３Ａｕ２には可撓性シール４９が貼り付けられている。この可撓性シール４９は図６に示すように現像ローラ１２の現像作用領域を越えるようにして現像作用領域を覆うように長手方向に延在する。具体的には可撓性シール４９の両端はスペーサコロ１２ａ，１２ｂと重なる位置まで延在する。そして可撓性シール４９の長手方向の一辺４９ａは感光体ドラム１上に形成されたトナー像の通過できるように感光体ドラム１に接近している。また長手方向の他辺４９ｂの縁はシャッター６４が開いた状態においてシャッター６４の開き端６４ｈの縁のシャッタ内面６４ｉに圧接している。可撓性シール４９はシャッター６４をカートリッジフレーム６３に取り付けていない状態においては平面の帯状板であり、シャッター６４をカートリッジフレーム６３に取り付けてシャッター６４の内面６４ｉと可撓シール４９の他辺４９ｂが接した状態では可撓性シール４９はたわむようになっている。
【０２１９】
図３８に示すようにシャッター６４を閉めるとシャッター６４の後縁６４ｊは可撓性シール４９の他辺４９ｂと離れて可撓性シール４９は平面状となる。
【０２２０】
シャッター６４が閉った状態では、シャッター６４の開放方向下流側の端部６４ｈは現像部フレーム６３Ａのフランジ６３Ａａ前面に設けた突条６３Ａｖに重なって接するかわずかに離れている。またシャッター６４の後縁６４ｊは可撓性シール４９と重なって可撓性シール４９と接するか接近している。そしてシャッター６４の開口６４ｋは可撓性シール４９とほぼ重なっている。
【０２２１】
ここでシャッター６４が開いている際、上記可撓性シール４９の一辺４９ａ側は現像ローラ１２側からのトナーが漏れ出るのを防止する。また、飛散するトナーがあっても、シャッター６４と可撓性シール４９の他辺４９ｂがシャッター６４の内面６４ｉと圧接しているため、トナーがカートリッジフレーム６３の外壁面に回り込むことがない。従って、現像カートリッジＤを取り外す際に把手６３ｅのみでなくカートリッジフレーム６３等を手で持ったとしても手が汚れるおそれがない。
【０２２２】
シャッター６４が閉っている状態ではシャッター６４は開口部６３ｂを全面で覆い、しかもシャッター６４の両側壁６４ｅ，６４ｆがサイドカバー６３Ｄ，６３Ｅの両側面６３ｈ，６３ｉに接近して覆い、且つシャッター６４の開口６４ｋには可撓性シール４９がほぼ重なるので、現像ローラ１２等は保護が充分となる。又、ちり、ほこりが現像ローラ１２に向かって移動するのを防止できる。
【０２２３】
上述において、可撓性シール４９を貼り付ける現像部材支持フレーム６３Ａの舌部前面６３Ａｕ２の幅Ｌ６３Ａｕ２の大きさは２〜１０ｍｍ、舌部前面６３Ａｕ２と舌部上面６３Ａｕ１の交叉する角から短手方向へ感光体ドラム１へ向って突出する可撓性シール４９の長さＬ４９ａは１〜５ｍｍ、舌部前面６３Ａｕ２の短手方向下端から突出する可撓シール４９の部分の長さＬ４９ｂは５〜３０ｍｍである。この実施の形態における実施例は舌部前面の幅Ｌ６３Ａｕ２＝４．５ｍｍ、現像ローラ１２外周へ向って突出する可撓性シール４９の部分の長さＬ４９ａ＝２．５ｍｍ、シャッター６４と摺擦する先端となる他辺４９ｂ側へ突出する可撓性シール４９の部分の長さＬ４９ｂ＝１８ｍｍである。なお可撓性シール４９の長手方向長さは２４２ｍｍ（本画像形成装置の通紙幅レター（ＬＴＲ）サイズの幅＝２１６ｍｍに対して）である。
【０２２４】
上記可撓性シール４９の材質はポリエチレンテレフタレートＰＥＴ、ポリエチレンＰＥ、ポリプレンＰＰ等から選ばれる。
【０２２５】
上述のように現像カートリッジＤは現像ローラ１２がカートリッジフレーム６３から露出する部分をカバーするためのカバー位置と、このカバー位置から退避して現像ローラ１２をカートリッジフレーム６３から露出させる退避位置と、を移動可能なシャッター６４を備えている。
【０２２６】
現像ローラ１２の長手方向に沿って、また、シャッター６４の移動経路に対向して位置する前記カートリッジフレーム６３部分に、短手方向の一端側と他端側とを前記カートリッジフレーム６３部分から突出させて設けられた可撓性シール４９と、を有する。ここで可撓性シール４９は前記カートリッジフレーム６３からトナーが漏れ出るのを防止する。
【０２２７】
シャッター６４が前記退避位置に退避した際には、シャッター６４の内面６４ｉに可撓性シール４９の短手方向の一端である一辺４９ａ側が接触する。
【０２２８】
上述のように可撓性シール４９を設けたのでシャッター６４と可撓性シール４９はシャッター６４開放時である画像形成時に飛散するトナーによりカートリッジフレーム６３の外壁が汚れるのを防ぐことができ、使用者が現像カートリッジを着脱する際に現像カートリッジにふれる部分が汚れないので使用者の手を汚すことがない。
【０２２９】
そして可撓性シール４９はシャッター６４が閉った際に、シャッター６４のトナー残量（有無）検知の際に用いられる開口６４ｋをほぼ覆うので、この開口６４ｋを通じてほこり等の異物が現像カートリッジＤの露出部へ侵入するのを防止することができる。
【０２３０】
（駆動力受け側のサイドカバー（現像バイアス接点））
図３９に示すように現像カートリッジＤの駆動力受け側に設けるサイドカバー６３Ｄの側面６３ｈは現像カートリッジＤとして組立状態において長手方向に対して略直角な平面である。この側面６３ｈには駆動力受け部材２２を取り囲む円筒形の突出部６３ｃが一体に成形されている。
【０２３１】
この突出部６３ｃ先端と駆動力受け部材２２の軸方向の先端は側面６３ｈと平行な平面上にあり、ほぼ同一平面上にある。
【０２３２】
この側面６３ｈには、この側面６３ｈと同一平面でもって現像バイアス接点４１が露出している。この現像バイアス接点４１の形状は略長方形であって、その一辺４１ａ１は駆動力受け部材２２の回転中心２２ｃを通る直線Ｌ６３Ｄ２上にある。また、現像ローラ１２の長手方向であって、前記現像バイアス接点が設けられている前記サイドカバー６３Ｄの外側から見て、駆動力受け部材２２の回転中心２２ｃと現像ローラ１２の回転軸１２ｃの中心（現像ローラ１２の回転中心）１２ｃ１を結んだ直線Ｌ６３Ｄ１に対して反時計方向にα１＝約１７５度の位置に駆動力受け部材２２の回転中心２２ｃを通る前記直線Ｌ６３Ｄ２が位置する。そして、現像バイアス接点４１の前記一辺４１ａ１に対向する一辺の角４１ａ２と駆動力受け部材２２の回転中心２２ｃを結ぶ直線Ｌ６３Ｄ３と前記駆動力受け部材２２及び現像ローラ１２の回転中心２２ｃを夫々結ぶ直線Ｌ６３Ｄ１とのなす角α２は１４０度である。即ち、前記現像ローラ１２の長手方向であって、前記現像バイアス接点４１が設けられている前記カートリッジフレーム６３部分としてのサイドカバー６３Ｄの外側から見て、前記現像バイアス接点４１は、前記駆動力受け部材２２の回転中心２２ｃと前記現像ローラ１２の回転中心１２ｃ１とを結んだ直線Ｌ６３Ｄ１に対して、反時計方向に１４０度から１７５度の領域に配置されている。
【０２３３】
ここで、現像バイアス接点４１が前記領域に配置されていることの意味は、装置本体に設けられた本体現像バイアス接点部材（接点ピン４２（図１４参照））と接触する部分が前記領域内に配置されていることである。したがって、前記接触する部分以外の現像バイアス接点部分が前記領域からはみ出しても構わない。しかし、より好ましくは、現像バイアス接点４１の全領域が前記領域内に位置することである。
【０２３４】
現像バイアス接点４１は現像カートリッジＤをロータリーユニット１１に装着した状態において、図１４に示されるロータリーユニット１１のフランジ１１ｇに設けられ壁面１１ａから軸方向へ弾力でもって突出している現像バイアス接点ピン４２と接触する。尚、図３９中、点線４１ａで囲まれた部分が現像時に接点ピン４２と接触する部分である。この接点ピン４２は先端が半球形であり、現像カートリッジＤのロータリーユニット１１へ着脱時に現像バイアス接点４１と摺擦する。尚、図３９中、点線４１ｂで囲まれた部分が、接点ピン４２と摺擦する部分である。そして現像カートリッジＤはロータリーユニット１１に装着された状態で、ロータリーユニット１１が回転割り出し作動をする際に、現像ローラ１２の両端のスペーサコロ１２ａ，１２ｂが感光体ドラム１に突き当る。そして、現像カートリッジＤは圧縮コイルばね１１ｄのばね力に抗してカートリッジフレーム６３の突出部６３ｃ，６３ｇを夫々支持しているロータリーユニット１１の円弧リブ２６ａ，５９ｅに支持されて突出部６３ｃ，６３ｇの中心、即ち、駆動力受け部材２２の回転中心２２ｃを中心として揺動する。現像バイアス接点４１が前述した領域内に配置されているので、この揺動を行う際に、ロータリーユニット１１から突出している現像バイアス接点ピン４２が現像バイアス接点４１から外れない。従って、現像バイアス接点ピン４２と現像バイアス接点４１は現像工程の割り出し動作によって摺擦し、接点４１と接点ピン４２との間に挟まった異物によって導通不良が生ずることを防ぐことができる。また現像バイアス接点ピン４２は、ロータリーユニット１１の回転によって現像カートリッＤの長手方向の一側面６３ｈの合成樹脂の表面と接触することがないので、側面６３ｈが削れるということがない。
【０２３５】
尚、現像時には、接点ピン４２，現像バイアス接点４１を介して、現像ローラ１２に、現像バイアスとして、周波数２０００Ｈｚ、ピーク・ピーク間電圧２０００Ｖの交流電圧と−４００Ｖの直流電圧を重畳した電圧を印加する。
【０２３６】
上述のようにロータリーユニット１１に装着された現像カートリッジＤの現像バイアス接点４１は略長方形であって、この長方形の中心部分がロータリーユニット１１に設けた現像バイアス接点ピン４２と接する。
【０２３７】
なお、上述のように配列された駆動力受け部材２２、現像バイアス接点４１及び位置決め突起（ピン）６３ｄはほぼ一直線上に配設されている。
【０２３８】
以上説明した通り、本実施の形態の現像カートリッジＤは、電子写真画像形成装置本体に装着された際に、装置本体から前記現像ローラ１２を回転させるための駆動力を受けるための駆動力受け部材２２と、ここで前記駆動力受け部材２２は前記現像ローラ１２の長手方向の一端側に設けられているカートリッジフレーム部分（例えば、サイドカバー６３Ｄ）から外側に露出して設けられている、
電子写真画像形成装置本体に装着された際に、装置本体から前記現像ローラ１２に印加する現像バイアスを受ける受けるための現像バイアス接点４１と、ここで前記現像バイアス接点４１は現像ローラ１２の長手方向の前記一端側に設けられている前記カートリッジフレーム部分（例えば、サイドカバー６３Ｄ）から外側へ露出して設けられている、
とを有し、
前記現像ローラの長手方向であって、前記現像バイアス接点４１が設けられている前記カートリッジフレーム部分６３Ｄの外側から見て、前記現像バイアス接点４１は、前記駆動力受け部材２２の回転中心２２ｃと前記現像ローラ１２の回転中心１２ｃ１を結んだ直線Ｌ６３Ｄ１に対して反時計方向に１４０度から１７５度の領域に配置されている。
【０２３９】
そして前記現像バイアス接点４１は略長方形であって、前記長方形の略中心部分が装置本体に設けられた現像バイアス接点ピン４２と接触する、これによって前記現像バイアス接点４１は前記現像バイアス接点ピン４２を介して装置本体から前記現像ローラ１２に印加する現像バイアスを受ける。
【０２４０】
また、前記略長方形の現像バイアス接点４１は、前記略長方形の一短片が前記駆動力受け部材２２の回転中心２２ｃと前記現像ローラ１２の回転中心１２ｃ１とを結んだ直線Ｌ６３Ｄ１に対して反時計方向に約１７５度に位置する直線Ｌ６３Ｄ２に沿って配置されている。
【０２４１】
そして前記略長方形の現像バイアス接点４１は、前記略長方形の一角部分が前記駆動力受け部材２２の回転中心と前記現像ローラ１２の回転中心１２ｃ１とを結んだ直線Ｌ６３Ｄ１に対して反時計方向に約１４５度に位置する直線Ｌ６３Ｄ３と接触するように配置されている。
【０２４２】
また、更に、前記現像カートリッジＤは、前記現像ローラ１２の周面に付着するトナーの量を規制するための現像ブレード１６を有する。
【０２４３】
更に、前記現像カートリッジＤは、トナー収納部６３ａに収納しているトナーが、イエロー色トナー、マゼンタ色トナー、或は、シアン色トナーである場合には、前記現像ローラ１２の周面にトナーを付着させるための塗布ローラ１９を有している、そして、前記現像バイアス接点４１が装置本体から受けたバイアスは前記現像ローラ１２、現像ブレード１６、及び、塗布ローラ１９に印加される。
【０２４４】
前記現像バイアス接点４１が装置本体から受けたバイアスは、第一の板バネ部分（４１ｄ）を介して前記現像ブレード１６の板金１６ａ部分に印加される、また、第二の板バネ部分（４１ｃ）を介して前記塗布ローラ１９に印加される、また、現像バイアス接点ばねとしてのコイルスプリング（４６）を介して前記現像ローラ１２の軸部分（１２ｃ）に印加される、ここで前記現像バイアス接点４１、第一の板バネ部分（４１ｄ）、及び、第二の板バネ部分（４１ｃ）は一体の金属部材である。
【０２４５】
尚、前記現像カートリッジＤは、前記トナー収納部６３ａに収納しているトナーが、ブラック色トナーである場合には、前記現像バイアス接点４１が装置本体から受けたバイアスは前記現像ローラ１２に印加される、そして現像ブレード１６には印加されない。
【０２４６】
上述のように現像カートリッジＤは駆動力受け部材２２を露出させるための開口と、現像バイアス接点４１を取り付けるための現像バイアス接点取り付け部と、を有する現像カートリッジサイドカバー６３Ｄをカートリッジフレーム６３の部分として有している。そして、現像カートリッジサイドカバー６３Ｄは、現像カートリッジＤが電子画像形成装置本体３０に装着された際に、装置本体３０のロータリーユニット１１に設けられた圧縮コイルばね１１ｄによる付勢力を受けるための付勢力受け部（ばね受け部）６３ｋ１，６３ｋ２と、付勢力受け部６３ｋ１，６３ｋ２が受けた力によって回転する現像カートリッジＤの回転を規制するための前記装置本体３０のロータリーユニット１１に当接するための突き当て部としてのボス６３ｍ１，６３ｍ２と、を有している。そして前記現像バイアス接点４１は前記駆動力受け部材２２を露出させるための開口を有する円筒部６３ｃ２の先端６３ｃ３、及び、前記付勢力受け部６３ｋ１，６３ｋ２よりも現像ローラ１２の長手方向から見て退いた位置にある。
【０２４７】
さて、このサイドカバー６３Ｄは、サイドカバー６３Ｄに設けた穴６３Ｄｒ（図３９、図４１参照）に小ねじ４３を挿通してカップリングフレーム６３Ｆのめねじ６３Ｆｅ（図３４参照）にねじ込み固定されている。尚、サイドカバー６３Ｄに設けられたダボ、６３Ｄｕは、カップリングフレーム６３Ｆに設けられた穴６３Ｆｒに嵌合して、サイドカバー６３Ｄとカップリングフレーム６３Ｆの位置決めを行うためのものである。ここで、一方の穴は長穴となっている。
【０２４８】
図４０に示すようにサイドカバー６３Ｄの内側に現像ローラ１２の回転軸１２ｃ端へ軸方向に向って突出するばね保持突部６３Ｄｓを有し、このばね保持突部６３Ｄｓの回りには現像バイアス内側接点部４１ｂが設けられている。塗布ローラ１９の回転軸１９ａ端に接する塗布ローラ接点部４１ｃが片持梁状の第二の板ばね部分として設けられている。また、色現像カートリッジＤｙ，Ｄｍ，Ｄｃの場合には現像ブレード１６の弾力があり可撓性の薄板であるブレード支持板金１６ａを押圧するために、ブレード支持板金１６ａに重ねて押え板４４が現像部材支持フレーム６３Ａに一体成形されたダボ６３Ａｗに嵌合して位置決めされ、押え板４４の穴を挿通して小ねじ４５が現像部材支持フレーム６３Ａにねじ込まれている。この押え板４４は駆動力受け側のサイドカバー６３Ｄの側面６３ｉの裏面に近くまで延出されて先端４４ａは現像バイアス接点４１の現像ブレード接点部４１ｄに重なるようにして接している。この現像ブレード接点部４１ｄは押え板４４の先端４４ａへ向って斜設されていて、この斜面に押え板４４の先端４４ａが当って現像ブレード接点部４１ｄが撓む。即ち、現像ブレード接点部４１ｄは第一の板ばね部分となっている。
【０２４９】
前述した接点４１、現像バイアス内側接点部４１ｂ、塗布ローラ接点部４１ｃ、現像ブレード接点部４１ｄは一体に板金で作られており、現像バイアス部材を構成している。そして現像ローラ１２、現像ブレード１６、塗布ローラ１９を同電位に帯電する。この現像バイアス接点部材の材料は燐青銅、ベリウム青銅、ステンレス等である。
【０２５０】
なお、現像バイアス内側接点部４１ｂと現像ローラ１２の回転軸１２ｃの端面間には金属製の圧縮コイルばねでできた現像バイアス接点ばね４６が縮設されている。
【０２５１】
また、ブラック現像カートリッジＤｂでは現像ブレード１６の弾性ブレード１６ｃを支持する板金１６ａは剛性である帯状板であり、上述色現像器Ｄｙ，Ｄｍ，Ｄｃで用いられた押え板４４を備えない。従ってブラック現像カートリッジＤｂの現像ブレード接点部４１ｄと現像ブレード１６は電気的に切り離されていて現像ブレード接点部４１ｄが機能しないようになっている。従ってブラック現像カートリッジＤｂは現像ローラ１２に現像バイアスが印加されるが現像ブレード１６には印加されない。
【０２５２】
駆動力受け側のサイドカバー６３Ｄの内側を示す図４１のようにサイドカバー６３Ｄの側面６３ｈに平行な裏面６３Ｄｅは平面であって、現像バイアス内側接点部４１ｂが接している。この内側接点部４１ｂへの外部露出部４１ａからのつながりは図４１のＢ−Ｂ断面図の図４２に示すように側面６３ｈと裏面６３Ｄｅ間を貫通する長穴６３Ｄｊ内に設けたダボ６３Ｄｋに外部露出部４１ａ側の一端部４１ｅを折曲して折曲部４１ｆの穴を嵌め込んである。長穴６３Ｄｊと並列する長穴６３Ｄｎを設け、外部露出部４１ａの他辺側を折曲して長穴６３Ｄｎから内部側へ通して内部側でサイドカバー６３Ｄの裏面６３Ｄｅに沿った導板部４１ｇは裏面６３Ｄｅに接して図４１に示すように前記現像バイアス内側接点部４１ｂの下円外周側に同一平面でつらなっていて、サイドカバー６３Ｄの裏面６３Ｄｅ側に突設したダボ６３Ｄｐに導板部４１ｇの逆爪付の穴４１ｈに嵌入固定されている。また図４１において現像バイアス内側接点部４１ｂの上方へ同一平面でつらなる導板部４１ｉはサイドカバー６３Ｄの内側に突設したダボ６３Ｄｑに導板部４１ｉに設けた逆爪付の穴４１ｈが嵌合している。この導板部４１ｉはサイドカバー６３Ｄの裏面６３Ｄｅに接している。そして導板部４１ｉの上部の側方の縁から折曲されて前記導板部４１ｉの図４１に見える表面との間に９０度以上の角度をなして斜設されたブレード接点部４１ｄが設けられている。このブレード接点部４１ｄがへたらないようにブレード接点部４１ｄ先端部は折り返した端部４１ｊをサイドカバー６３Ｄの裏面６３Ｄｅに立設した壁面６３Ｄｔに接するようにしてある。
【０２５３】
また、６３Ｄｓは黒現像カートリッジが有する現像ローラ１２の内部に設けられたマグネットを支持する支持部である。６３Ｄｓ１は、モールドの弾性力でもってマグネットをスライス方向へ押圧するための押圧部である。
【０２５４】
また、前述した塗布ローラ接点部４１ｃは導板部４１ｇの下縁の一部から下方へ延出してその先を上方へ彎曲してその先端を接点部４１ｃとしたものである。
【０２５５】
上述のようにしてあるため、現像バイアス接点４１ａに印加される現像バイアスは現像バイアス内側接点部４１ｂ、現像バイアス接点ばね４６、現像ローラ軸１２ｃを通じて現像ローラ１２に加えられると共に、塗布ローラ接点部４１ｃに接触している塗布ローラ１９の回転軸１９ａに加えられて塗布ローラ１９を現像ローラ１２と同電位とする。また、前記外部露出部４１ａに印加された現像バイアスは現像ブレード接点部４１ｄに接触している押え板４４を通じて現像ブレード１６に加えられ現像ローラ１２と現像ブレード１６は同電位とされる。
【０２５６】
このように現像バイアスが現像バイアス接点部材４１である一体物で現像ローラ１２、現像ブレード１６、塗布ローラ１９、に加えられるため途中に接触部が少なく電気的に安定している。
【０２５７】
尚、ブラック現像カートリッジＤｂにあっては現像ブレード１６には電圧が加えられない。また塗布ローラを有していない。
【０２５８】
上述のように現像バイアス接点について、現像バイアス接点、現像剤カートリッジはロータリーユニット内で駆動力受け部材の回転中心を中心に揺動する（現像時に現像ローラを感光体ドラムに押し当てる加圧力が加わる）この揺動する際に装置本体のロータリーユニットから突出している現像バイアス接点ピンが現像カートリッジの現像バイアス接点から外れないようにすることにより、現像カートリッジ外壁（サイドカバー表面）の削れを防いだり、現像バイアス接点とピン間に異物が挟まり導通不良となることを防ぐことができる。
【０２５９】
上述において、サイドカバー６３Ｄは段付駆動ギア２３ａにつらなる現像ローラギア２３ｂ、段付アイドラギア２３ｃ、攪拌ギア２３ｄ、塗布ローラギア２３ｅ等のギアを総て覆っている。しかしサイドカバー６３Ｄは現像カートリッジＤを駆動する外力が加えられない。
【０２６０】
また、このサイドカバー６３Ｄは位置決めされる駆動力受け部のための開口回りの円筒形突出部と接点取り付け部が同じ部材の同じ側面にあることにより、装置本体に対する接点と駆動入力部の位置精度を高めることができる。
【０２６１】
さて、前述した通り、本実施の形態のサイドカバー６３Ｄは、電子写真感光体に形成された潜像を現像するための、電子写真画像形成装置本体に着脱可能な現像カートリッジに用いられる現像カートリッジサイドカバーであって、
前記駆動力受け部材２２を露出させるための開口（例えば、突出部としての円筒部６３ｃ２に設けられた開口６３ｃ４）と、
前記現像バイアス接点を取り付けるための現像バイアス接点取り付け部と、
を有する。
【０２６２】
更に、前記現像カートリッジサイドカバー６３Ｄは、電子写真画像形成装置本体３０に装着された際に、装置本体３０に設けられたバネ部材（例えば、圧縮コイルばね１１ｄ）による付勢力を受けるための付勢力受け部（例えば、ばね受け部６３ｋ）と、前記付勢力受け部が受けた力によって回転する現像カートリッジＤの回転を規制するために前記装置本体３０に当接するための突き当て部（例えば、ボス６３ｍ）と、を有する。
【０２６３】
尚、前記付勢力受け部は突出して設けられている平板形状、また、前記突き当て部は突出して設けられている円柱形状である。
【０２６４】
また、前記駆動力受け部材を露出させるための開口６３ｃ４は、前記駆動力受け部材２２を囲むように突出して設けられている円筒に設けられている。
【０２６５】
更に、前記現像カートリッジＤは、前記現像部材（例えば、現像ローラ１２）の露出部分をカバーする閉じ位置と、前記閉じ位置から退避する退避位置とを取り得るシャッター６４を有する、そして、前記円筒部６３ｃ２は前記シャッター６４の長手方向の一端側を回転可能に取り付ける。
【０２６６】
更に、前記現像カートリッジサイドカバー６３Ｄは、前記シャッター６４を前記閉じ位置にロックするためのロック部材７１を取り付けるための取り付け部７１ｃを有する。
【０２６７】
更に、前記現像カートリッジサイドカバー６３Ｄには、前記駆動力受け部材２２としてのカップリング部材２２ｄを支持するカップリングフレーム６３Ｆに対して前記現像カートリッジサイドカバー６３Ｄを取り外し可能に取り付けるための穴６３Ｄｒが設けられている。そして、前記カップリングフレーム６３Ｆは、前記現像ローラ１２の装着部を有する現像フレーム６３Ａに取り付けられる。
【０２６８】
また、現像カートリッジサイドカバー６３Ｄは、前記カップリングフレーム６３Ｆを介して前記現像フレーム６３Ａに取り付けられた際に、前記駆動力受け部材としてのカップリング部材２２ｄが装置本体３０から受けた駆動力を前記現像部材としての現像ローラ１２に伝達するためのギア（例えば、現像ローラギア２３ｂ）をカバーする。
【０２６９】
また、前記現像カートリッジサイドカバー６３Ｄは、前記現像フレーム６３Ａに取り付けられる際に、前記駆動力受け部材としてのカップリング部材２２ｄを支持するカップリングフレーム６３Ｆを間に挟んで前記現像フレーム６３Ａに取り付けられる。
【０２７０】
また、前記現像カートリッジサイドカバー６３Ｄは、プラスチック製の一体成型物である。
【０２７１】
尚、ここで前記現像カートリッジサイドカバー６３Ｄの取り付け方法は次の通りである。
【０２７２】
電子写真画像形成装置本体に着脱可能であって、電子写真感光体に形成された潜像を現像するための現像カートリッジに用いられる現像カートリッジサイドカバー取り付け方法において、
（ａ）電子写真感光体に形成された潜像を現像するための現像部材（例えば、現像ローラ１２）を装着するための現像部材装着部を有する現像フレーム６３Ａを準備する工程と、
（ｂ）電子写真画像形成装置本体３０に装着された際に、装置本体３０から前記現像部材を回転させるための駆動力を受けるための駆動力受け部材２２を支持するためのカップリングフレーム６３Ｆを準備する工程と、
（ｃ）前記駆動力受け部材２２を露出させるための開口６３ｃ４と、
現像カートリッジＤが電子写真画像形成装置本体３０に装着された際に、装置本体３０から前記現像部材に印加する現像バイアスを受けるための現像バイアス接点４１と、
を有する現像カートリッジサイドカバー６３Ｄを準備する工程と、
（ｄ）前記現像フレーム６３Ａに前記カップリングフレーム６３Ｆを取り付けるカップリングフレーム取り付け工程と、
（ｅ）次いで、前記現像バイアス接点４１が前記現像部材と電気的に接続するように、また、前記駆動力受け部材２２が前記現像カートリッジサイドカバー６３Ｄの有する開口６３ｃ４から露出するように、前記カップリングフレーム６３Ｆに前記カートリッジサイドカバー６３Ｄを取り付ける現像カートリッジサイドカバー取り付け工程と、
を有する。
【０２７３】
ここで、前記カップリングフレーム取り付け工程において、前記現像フレーム６３Ａに前記カップリングフレーム６３Ｆをネジを用いて取り付ける、また、前記現像カートリッジサイドカバー取り付け工程において、前記カップリングフレーム６３Ｆに前記カートリッジサイドカバー６３Ｄをネジを用いて取り付ける。
【０２７４】
尚、実施の形態ではサイドカバー６３Ｅと現像部材支持フレーム６３Ａをねじ止めで結合しているが、結合方法はスナップフイット及び／或はスナップクリップで結合するようにしてもよい。
【０２７５】
前述実施の形態によれば、現像カートリッジはロータリーユニット内で回転中心を中心に揺動する（現像時に現像ローラをドラムに押し当てる加圧力が加わる）この揺動する際に装置本体から突出している接点ピンが現像カートリッジの接点から外れないようにすることにより、現像カートリッジ外壁の削れを防いだり、接点に異物が挟まり導通不良を防ぐことができる。
【０２７６】
【発明の効果】
前述した実施形態によれば、従来構成に比べて、現像カートリッジを小型化することができる、あるいは、同じ大きさでより多くのトナーを収納することができる。
【０２７７】
以上説明した通り、本発明によれば、小型化された現像カートリッジを提供することができた。
【０２７８】
また本発明によれば、効率的にトナーを収納することのできる現像カートリッジを提供することができた。
【図面の簡単な説明】
【図１】電子写真画像形成装置の縦断面図である。
【図２】ロータリーユニットの軸直角断面図である。
【図３】ロータリーユニットの軸直角断面図である。
【図４】色現像カートリッジの縦断面図である。
【図５】ブラック現像カートリッジの縦断面図である。
【図６】シャッターを開いた状態の現像カートリッジの斜視図である。
【図７】シャッターを閉じた状態の現像カートリッジの斜視図である。
【図８】シャッター回りを分解して略図で示す現像カートリッジの分解斜視図である。
【図９】シャッターが閉じた状態の現像カートリッジの反駆動側側面図である。
【図１０】シャッターが閉じた状態の現像カートリッジの駆動側側面図である。
【図１１】シャッターが開いた状態の現像カートリッジの反駆動側側面図である。
【図１２】シャッターが開いた状態の現像カートリッジの駆動側側面図である。
【図１３】ロータリーユニットの現像カートリッジ装着部の反駆動側の斜視図である。
【図１４】ロータリーユニットの現像カートリッジ装着部の駆動側の斜視図である。
【図１５】現像カートリッジをロータリーユニットへ装着する動作を示す側面図である。
【図１６】現像カートリッジをロータリーユニットへ装着する動作を示す側面図である。
【図１７】現像カートリッジをロータリーユニットへ装着する動作を示す側面図である。
【図１８】現像カートリッジをロータリーユニットへ装着する動作を示す側面図である。
【図１９】現像カートリッジをロータリーユニットへ装着する動作を示す側面図である。
【図２０】現像カートリッジのガイド及び位置決め部材の関係を示す側面図である。
【図２１】現像カートリッジの駆動装置を示す平面図である。
【図２２】現像カートリッジの駆動装置の側面図である。
【図２３】現像カートリッジの好適な駆動部材の配置を示す側面図である。
【図２４】現像カートリッジの好適な駆動部材の配置を示す側面図である。
【図２５】シャッターの斜視図である。
【図２６】現像カートリッジのロータリーユニットの装着を示す平面図である。
【図２７】現像部材支持フレームの斜視図である。
【図２８】現像部材支持フレームの側面図である。
【図２９】現像部材支持フレームの端部の斜視図である。
【図３０】（ａ）トナーフレームの斜視図である。
（ｂ）トナーフレームの側断面図である。
【図３１】トナーフレームの水平断面図である。
【図３２】現像カートリッジの反駆動側を下斜めから見る斜視図である。
【図３３】現像カートリッジの長手方向端部を示す側面図である。
【図３４】現像カートリッジのカップリングフレーム部分を示す斜視図である。
【図３５】反駆動側サイドカバーの斜視図である。
【図３６】トナー残量検知手段を示す斜視図である。
【図３７】図４の一部拡大図である。
【図３８】図３７においてシャッターを閉めた状態を示す縦断面図である。
【図３９】駆動側サイドカバーの側面図である。
【図４０】現像カートリッジのシャッターを取り外して見る端部の正面図である。
【図４１】駆動側サイドカバーの内側を見る斜視図である。
【図４２】図３９のＢ−Ｂ断面図である。
【図４３】（ａ），（ｂ），（ｃ），（ｄ）は現像カートリッジ識別手段を模式的に示す平面図である。
【図４４】現像カートリッジの駆動手段の側面図で有る。
【図４５】カートリッジフレームの斜視図である。
【符号の説明】
Ｍ１，Ｍ２…回転中心
Ｐ…記録媒体  Ｑ…付勢方向
Ｕ…プロセスカートリッジ  Ｃ…仮想平面
Ｄ…現像カートリッジ（現像装置）  Ｄｍ…マゼンタ現像カートリッジ  Ｄｃ…シアン現像カートリッジ  Ｄｙ…イエロー現像カートリッジ  Ｄｂ…ブラック現像カートリッジ  ＤＭ…モーメントの方向
Ｌ１，Ｌ２，Ｌ３，Ｌ６３Ｄ１，Ｌ６３Ｄ２，Ｌ６３Ｄ３…直線  Ｌ４９ａ，Ｌ４９ｂ…長さ  Ｌ６３Ａｕ２…幅
Ｘ１，Ｘ２…直線
１…電子写真感光体（感光体ドラム）
２…帯電手段
３…露光手段  ３ａ…ポリゴンミラー  ３ｂ…スキャナーモータ  ３ｃ…結像レンズ  ３ｄ…反射レンズ
４…転写ユニット  ４ａ…中間転写ベルト  ４ｂ…駆動ローラ  ４ｃ…２次転写対向ローラ  ４ｄ…従動ローラ  ４ｅ…クリーニングユニット  ４ｆ…帯電ローラ  ４ｊ…押えローラ
５…搬送手段  ５ａ…給紙カセット  ５ｂ…ピックアップローラ  ５ｃ１…給送ローラー  ５ｃ２…リタードローラ  ５ｄ…搬送ローラ対  ５ｅ…レジストローラ対  ５ｆ…排出ローラ対  ５ｇ…搬送ガイド
６…転写手段（転写ローラ）
７…定着手段  ７ａ…定着ローラ  ７ｂ…加圧ローラ
８…排出部
９…クリーニング手段  ９ａ…容器状の枠体  ９ｂ…クリーニングブレード
９ｃ…除去トナー容器
１０…中心軸  １０ａ…スライド部材  １０ａ１…長穴  １０ｂ…圧縮コイルばね  １０ｃ…ピン軸  １０ｄ…ガイド部  １０ｅ…先端円弧部  １０ｆ…凹部１１…ロータリーユニット  １１ａ…壁面  １１ｄ…圧縮コイルばね  １１ｅ…壁面  １１ｆ，１１ｇ…フランジ  １１ｊ…ガイド部  １１ｍ，１１ｃ，１１ｙ，１１ｂ…仕切り板  １１ｍ１，１１ｃ１，１１ｙ１，１１ｂ１…本体識別部
１１ｘ…縁
１２…現像ローラ  １２ａ，１２ｂ…スペーサコロ  １２ｃ…回転軸  １２ｃ１…回転中心
１３…途中の位置
１４，１４ｍ，１４ｃ，１４ｙ，１４ｂ…カートリッジ装着部
１５…トナー送り部材  １５ａ…弾性ブレード  １５ａ１…切り離し部  １５ａ２…透光部材清掃部  １５ｂ…ブレード支持板金  １５ｂ１…先端  １５ｂ２…長穴  １５ｂ３…長溝  １５ｃ…軸
１６…現像ブレード  １６ａ…板金  １６ｂ…小ねじ  １６ｃ…弾性ブレード
１６ｄ１，１６ｄ２…端部シール
１７…挿入口
１８…カバー
１９…塗布ローラ  １９ａ…回転軸
２２…駆動力受け部材  ２２ａ…凹部  ２２ｃ…回転中心  ２２ｄ…カップリング部材
２３ａ…段付駆動ギア  ２３ａ１…大ギア  ２３ａ２…小ギア  ２３ｂ…現像ローラギア  ２３ｃ…段付アイドラギア  ２３ｃ１…大ギア  ２３ｃ２…小ギア
２３ｄ…攪拌ギア  ２３ｅ…塗布ローラギア
２４…駆動伝達部材  ２４ａ…凸部  ２４Ｍ…駆動モータ
２５…付勢手段
２６…ガイド  ２６ａ…円弧状嵌合部（円弧リブ）  ２６ｂ…押し付け部材
２６ｃ…傾斜部  ２６ｄ…ガイド挿入部  ２６ｅ…直線リブ
２７…トナーシール  ２７ａ…トナーシール面  ２７ｂ…折り返し部  ２７ｃ…端部
３０…画像形成装置本体
３１ａ，３１ｂ…端部シール  ３１ｃ…フィルム
３２…弾性シール部材
３３…ジャーナル
３４…シート状のシール部材
３５…軸封パッキン
３６…ジャーナル
３７…トナーキャップ
３８…現像ローラ軸受
３９…現像ローラ軸受
４１…現像バイアス接点  ４１ａ…外部露出部  ４１ａ１…一辺  ４１ａ２…角４１ｂ…現像バイアス内側接点部  ４１ｃ…塗布ローラ接点部  ４１ｄ…現像ブレード接点部  ４１ｅ…端部  ４１ｆ…折曲部  ４１ｇ…導板部  ４１ｈ…穴
４１ｉ…導板部  ４１ｊ…端部
４２…現像バイアス接点ピン
４３…小ねじ
４４…押え板  ４４ａ…先端
４５…小ねじ
４６…現像バイアス接点ばね
４９…可撓性シール  ４９ａ…一辺  ４９ｂ…他辺
５９…ガイド  ５９ａ…傾斜部  ５９ｂ…ガイド挿入部  ５９ｃ…直線リブ
５９ｄ…突出挿入部  ５９ｅ…円弧リブ  ５９ｆ…嵌合部  ５９ｇ…直線リブ
５９ｈ…ガイド部挿入部
６３…カートリッジフレーム  ６３ａ…トナー収納部  ６３ｂ…開口部  ６３ｃ…突出部  ６３ｃ１…カット部  ６３ｃ２…円筒部  ６３ｃ３…先端  ６３ｃ４…開口  ６３ｄ…突起  ６３ｅ…把手  ６３ｅ１，６３ｅ２…凹部  ６３ｇ…突出部  ６３ｇ１…差込部  ６３ｇ２…先端面  ６３ｇ３…カット部  ６３ｇ４…円筒部  ６３ｈ，６３ｉ…側面  ６３ｊ１，６３ｊ２…穴  ６３ｋ，６３ｋ１，６３ｋ２，６３ｋ３…ばね受け面  ６３ｍ，６３ｍ１，６３ｍ２…姿勢決めボス  ６３ｍ３…中心  ６３ｏ……開口  ６３ｎ，６３ｐ…結合面  ６３ｑ…軸取り付け部  ６３ｑ１…軸受け穴  ６３ｒ…シール取付面  ６３ｓ…凹部  ６３ｔ…底面  ６３ｕ…被押圧部
６３Ａ…現像フレーム  ６３Ａａ…フランジ  ６３Ａｂ…突出部前面    ６３Ａｃ…端部  ６３Ａｂ１…長手方向平面  ６３Ａｂ２…短手方向平面  ６３Ａｂ３…円弧面  ６３Ａｂ…円弧  ６３Ａｃ…端部シール貼り付け面  ６３Ａｄ…円弧面  ６３Ａｅ…トナー供給開口  ６３Ａｇ…円弧形凹面  ６３Ａｇ１…平面
６３Ａｋ１，６３Ａｋ２…座面  ６３Ａｍ…めねじ  ６３Ａｎ，６３Ａｐ…位置決め穴  ６３Ａｑ…軸取り付け部  ６３Ａｔ…現像室  ６３Ａｕ…舌部  ６３Ａｕ１…上面  ６３Ａｕ２…前面  ６３Ａｖ…突条  ６３Ａｗ…ダボ
６３Ｂ…トナーフレーム  ６３Ｂａ，６３Ｂｂ…フランジ  ６３Ｂｃ…トナー供給開口部  ６３Ｂｄ…端板  ６３Ｂｅ…軸受部  ６３Ｂｆ…第一の開口  ６３Ｂｇ…第二の開口  ６３Ｂｊ…平面  ６３Ｂｍ…角  ６３Ｂｎ…端部シール  ６３Ｂｐ…トナー補給口  ６３Ｂｑ…軸受部  ６３Ｂｓ…アーム  ６３Ｂｔ…円弧面  ６３Ｂｕ…シール面  ６３Ｂｒ…トナーシール貼り付け面  ６３Ｅｇ…穴  ６３Ｅｒ…カバー部分
６３Ｃ…カバーフレーム  ６３Ｃｂ…フランジ  ６３Ｃｄ…前壁  ６３Ｃｅ…後壁
６３Ｄ…サイドカバー  ６３Ｄａ…表面  ６３Ｄｅ…裏面  ６３Ｄｆ…円筒形突出部  ６３Ｄｊ…長穴  ６３Ｄｋ…ダボ  ６３Ｄｍ…折曲部  ６３Ｄｎ…長穴６３Ｄｓ…マグネット支持部（ばね保持部）  ６３Ｄｓ１…押圧部  ６３Ｄｔ…壁面  ６３Ｄｐ，６３Ｄｑ…ダボ  ６３Ｄｒ…穴  ６３Ｄｕ…ダボ
６３Ｅ…サイドカバー  ６３Ｅａ…取付面  ６３Ｅｂ…ダボ  ６３Ｅｃ…小ねじ用穴  ６３Ｅｆ…円筒形突出部  ６３Ｅｇ…カバー部  ６３Ｅｈ…内側面  ６３Ｅｉ…トナーシール開口  ６３Ｅｊ…トナーシール導出斜面  ６３Ｅｋ…平面
６３Ｅｍ…角部  ６３Ｅｑ…穴  ６３Ｅｒ…カバー部分
６３Ｆ…カップリングフレーム  ６３Ｆａ…小ねじ用穴  ６３Ｆｂ，６３Ｆｃ…突出軸  ６３Ｆｄ…穴  ６３Ｆｅ…めねじ  ６３Ｆｆ…円筒形突出部  ６３Ｆｇ…ダボ  ６３Ｆｋ…取り付け面  ６３Ｆｒ…穴
６４…シャッター  ６４ａ…丸穴  ６４ｂ，６４ｃ，６４ｄ，６４ｍ，６４ｙ…シャッター  ６４ｅ，６４ｆ…側壁  ６４ｇ…カバー部  ６４ｈ…開き端  ６４ｉ…内面  ６４ｊ…後縁  ６４ｋ…開口  ６４ｎ…カム縁  ６４ｐ，６４ｑ…穴  ６４ｒ…駒  ６４ｓ…座  ６４ｔ…シャッター係合凹部  ６４ｕ…孔  ６４Ｙ，６４Ｍ，６４Ｃ，６４Ｂ…カートリッジ識別部
７０…ガイド部
７１…ロック部材  ７１ａ…支持部  ７１ｂ…ロック係合部  ７１ｃ，７１ｄ…取り付け部  ７１ｇ…アーム部
７３…トナーシール引き抜き把手
８１…透光性部材  ８１ａ…円筒面  ８１ｂ…フランジ  ８１ｃ…凹部
８２…透光性部材  ８２ａ…平坦面  ８２ｂ…フランジ  ８２ｃ…凹部
８３…発光部材
８４…入力光ガイド部材  ８４ａ…入射面  ８４ｂ…反射面  ８４ｃ…出射面
８５…出力光ガイド部材  ８５ａ…出射面  ８５ｂ…反射面  ８５ｃ…入射面
８６…受光部材
８７…基板
【図１】
0003728105.tif 000002
【図２】
0003728105.tif 000003
【図３】
0003728105.tif 000004
【図４】
0003728105.tif 000005
【図５】
0003728105.tif 000006
【図６】
0003728105.tif 000007
【図７】
0003728105.tif 000008
【図８】
0003728105.tif 000009
【図９】
0003728105.tif 000010
【図１０】
0003728105.tif 000011
【図１１】
0003728105.tif 000012
【図１２】
0003728105.tif 000013
【図１３】
0003728105.tif 000014
【図１４】
0003728105.tif 000015
【図１５】
0003728105.tif 000016
【図１６】
0003728105.tif 000017
【図１７】
0003728105.tif 000018
【図１８】
0003728105.tif 000019
【図１９】
0003728105.tif 000020
【図２０】
0003728105.tif 000021
【図２１】
0003728105.tif 000022
【図２２】
0003728105.tif 000023
【図２３】
0003728105.tif 000024
【図２４】
0003728105.tif 000025
【図２５】
0003728105.tif 000026
【図２６】
0003728105.tif 000027
【図２７】
0003728105.tif 000028
【図２８】
0003728105.tif 000029
【図２９】
0003728105.tif 000030
【図３０】
0003728105.tif 000031
【図３１】
0003728105.tif 000032
【図３２】
0003728105.tif 000033
【図３３】
0003728105.tif 000034
【図３４】
0003728105.tif 000035
【図３５】
0003728105.tif 000036
【図３６】
0003728105.tif 000037
【図３７】
0003728105.tif 000038
【図３８】
0003728105.tif 000039
【図３９】
0003728105.tif 000040
【図４０】
0003728105.tif 000041
【図４１】
0003728105.tif 000042
【図４２】
0003728105.tif 000043
【図４３】
0003728105.tif 000044
【図４４】
0003728105.tif 000045
【図４５】
0003728105.tif 000046